(57)【要約】  本開示の実施例は、マルチスロット伝送方法および機器を提供する。当該方法において、スロット数セットから１つのスロット数の値を決定することと、前記スロット数の値をユーザ端末に送信することとを含み、前記スロット数の値は、前記ユーザ端末によるマルチスロットのＰＵＣＣＨおよび／またはＰＵＳＣＨ伝送に用いられる。【選択図】  図２
2021503780.tif 000002
【特許請求の範囲】
【請求項１】
ネットワーク側機器に応用されるマルチスロット伝送方法において、
スロット数セットから１つのスロット数の値を決定することと、
前記スロット数の値をユーザ端末に送信することとを含み、
前記スロット数の値は、前記ユーザ端末によるマルチスロットのＰＵＣＣＨおよび／またはＰＵＳＣＨ伝送に用いられる、マルチスロット伝送方法。
【請求項２】
前記スロット数セットは、予め定義された第１スロット数セットであり、
前記のスロット数セットから１つのスロット数の値を決定することは、
前記第１スロット数セットから１つのスロット数の値を選択することを含む、請求項１に記載の方法。
【請求項３】
前記スロット数セットは、予め定義された第２スロット数セットであり、
前記のスロット数セットから１つのスロット数の値を決定することは、
前記ユーザ端末に設定した複数のスロット数の値を前記第２スロット数セットから決定することと、
前記複数のスロット数の値から１つのスロット数の値を選択することとを含む、請求項１に記載の方法。
【請求項４】
ハイレイヤシグナリングによって前記ユーザ端末に前記複数のスロット数の値を設定することをさらに含む、請求項３に記載の方法。
【請求項５】
前記スロット数セットは、各ヌメロロジーに対し予め定義した第３スロット数セットであり、
前記のスロット数セットから１つのスロット数の値を決定することは、
ヌメロロジーに基づき、対応する第３スロット数セットを決定することと、
前記対応する第３スロット数セットから１つのスロット数の値を選択することとを含む、請求項１に記載の方法。
【請求項６】
前記スロット数セットは、各ヌメロロジーに対し予め定義した第４スロット数セットであり、
前記のスロット数セットから１つのスロット数の値を決定することは、
ヌメロロジーに基づき、対応する第４スロット数セットを決定することと、
前記ユーザ端末に設定した複数のスロット数の値を前記第４スロット数セットから決定することと、
前記複数のスロット数の値から１つのスロット数の値を選択することとを含む、請求項１に記載の方法。
【請求項７】
ハイレイヤシグナリングによって前記ユーザ端末に前記複数のスロット数の値を設定することをさらに含む、請求項６に記載の方法。
【請求項８】
前記の前記スロット数の値をユーザ端末に送信することは、
ハイレイヤシグナリングまたはダウンリンク制御情報ＤＣＩによってユーザ端末に前記スロット数の値を送信することを含む、請求項１〜７のいずれか一項に記載の方法。
【請求項９】
ユーザ端末に応用されるマルチスロット伝送方法において、
スロット数セットから１つのスロット数の値を決定することと、
前記スロット数の値に基づき、マルチスロットのＰＵＣＣＨおよび／またはＰＵＳＣＨ伝送を行うこととを含む、マルチスロット伝送方法。
【請求項１０】
前記スロット数セットは、予め定義された第１スロット数セットであり、
前記のスロット数セットから１つのスロット数の値を決定することは、
ネットワーク側機器から送信された設定情報に基づき、前記第１スロット数セットから１つのスロット数の値を選択することを含む、請求項９に記載の方法。
【請求項１１】
前記スロット数セットは、予め定義された第２スロット数セットであり、
前記のスロット数セットから１つのスロット数の値を決定することは、
前記ネットワーク側機器から前記ユーザ端末に設定した複数のスロット数の値であって、前記第２スロット数セットのうちの値である前記複数のスロット数の値を受信することと、
ネットワーク側機器から送信された設定情報に基づき、前記複数のスロット数の値から１つのスロット数の値を選択することとを含む、請求項１０に記載の方法。
【請求項１２】
前記ネットワーク側機器から前記ユーザ端末に設定した複数のスロット数の値をハイレイヤシグナリングによって受信することをさらに含む、請求項１１に記載の方法。
【請求項１３】
前記スロット数セットは、各ヌメロロジーに対し予め定義した第３スロット数セットであり、
前記のスロット数セットから１つのスロット数の値を決定することは、
ヌメロロジーに基づき、対応する第３スロット数セットを決定することと、
ネットワーク側機器から送信された設定情報に基づき、前記対応する第３スロット数セットから１つのスロット数の値を選択することとを含む、請求項１０に記載の方法。
【請求項１４】
前記スロット数セットは、各ヌメロロジーに対し予め定義した第４スロット数セットであり、
前記のスロット数セットから１つのスロット数の値を決定することは、
ヌメロロジーに基づき、対応する第４スロット数セットを決定することと、
前記ネットワーク側機器から前記ユーザ端末に設定した複数のスロット数の値であって、ヌメロロジーに基づいて決定した対応する第４スロット数セットのうちの値である前記複数のスロット数の値を受信することと、
ネットワーク側機器から送信された設定情報に基づき、前記複数のスロット数の値から１つのスロット数の値を選択することとを含む、請求項１０に記載の方法。
【請求項１５】
前記ネットワーク側機器から前記ユーザ端末に設定した複数のスロット数の値をハイレイヤシグナリングによって受信することをさらに含む、請求項１４に記載の方法。
【請求項１６】
ネットワーク側機器から送信されて前記１つのスロット数の値を決定するための設定情報を、ハイレイヤシグナリングまたはダウンリンク制御情報ＤＣＩによって受信することをさらに含む、請求項１０〜１５のいずれか一項に記載の方法。
【請求項１７】
スロット数セットから１つのスロット数の値を決定するための第１プロセッサと、
前記スロット数の値をユーザ端末に送信するための第１トランシーバとを含み、
前記スロット数の値は、前記ユーザ端末によるマルチスロットのＰＵＣＣＨおよび／またはＰＵＳＣＨ伝送に用いられる、ネットワーク側機器。
【請求項１８】
前記スロット数セットは、予め定義された第１スロット数セットであり、
前記第１プロセッサは、さらに、
前記第１スロット数セットから１つのスロット数の値を選択することに用いられる、請求項１７に記載のネットワーク側機器。
【請求項１９】
前記スロット数セットは、予め定義された第２スロット数セットであり、
前記第１プロセッサは、さらに、
前記ユーザ端末に設定した複数のスロット数の値を前記第２スロット数セットから決定することと、前記複数のスロット数の値から１つのスロット数の値を選択することとに用いられる、請求項１７に記載のネットワーク側機器。
【請求項２０】
前記第１プロセッサは、さらに、
ハイレイヤシグナリングによって前記ユーザ端末に前記複数のスロット数の値を設定することに用いられる、請求項１９に記載のネットワーク側機器。
【請求項２１】
前記スロット数セットは、各ヌメロロジーに対し予め定義した第３スロット数セットであり、
前記第１プロセッサは、さらに、
ヌメロロジーに基づき、対応する第３スロット数セットを決定することと、前記対応する第３スロット数セットから１つのスロット数の値を選択することとに用いられる、請求項１７に記載のネットワーク側機器。
【請求項２２】
前記スロット数セットは、各ヌメロロジーに対し予め定義した第４スロット数セットであり、
前記第１プロセッサは、さらに、
ヌメロロジーに基づき、対応する第４スロット数セットを決定することと、前記ユーザ端末に設定した複数のスロット数の値を前記第４スロット数セットから決定することと、前記複数のスロット数の値から１つのスロット数の値を選択することとに用いられる、請求項１７に記載のネットワーク側機器。
【請求項２３】
前記第１プロセッサは、さらに、
ハイレイヤシグナリングによって前記ユーザ端末に前記複数のスロット数の値を設定することに用いられる、請求項２２に記載のネットワーク側機器。
【請求項２４】
前記第１トランシーバは、さらに、
ハイレイヤシグナリングまたはダウンリンク制御情報ＤＣＩによってユーザ端末に前記スロット数の値を送信することに用いられる、請求項１７〜２３のいずれか一項に記載のネットワーク側機器。
【請求項２５】
スロット数セットから１つのスロット数の値を決定するための第２プロセッサと、
前記スロット数の値に基づき、マルチスロットのＰＵＣＣＨおよび／またはＰＵＳＣＨ伝送を行うための第２トランシーバとを含む、ユーザ端末。
【請求項２６】
前記スロット数セットは、予め定義された第１スロット数セットであり、
前記第２プロセッサは、さらに、
ネットワーク側機器から送信された設定情報に基づき、前記第１スロット数セットから１つのスロット数の値を選択することに用いられる、請求項２５に記載のユーザ端末。
【請求項２７】
前記スロット数セットは、予め定義された第２スロット数セットであり、
前記第２トランシーバは、さらに、
前記ネットワーク側機器から前記ユーザ端末に設定した複数のスロット数の値であって、前記第２スロット数セットのうちの値である前記複数のスロット数の値を受信することに用いられ、
前記第２プロセッサは、さらに、
ネットワーク側機器から送信された設定情報に基づき、前記複数のスロット数の値から１つのスロット数の値を選択することに用いられる、請求項２６に記載のユーザ端末。
【請求項２８】
前記第２プロセッサは、さらに、
前記ネットワーク側機器から前記ユーザ端末に設定した複数のスロット数の値をハイレイヤシグナリングによって受信することに用いられる、請求項２７に記載のユーザ端末。
【請求項２９】
前記スロット数セットは、各ヌメロロジーに対し予め定義した第３スロット数セットであり、
前記第２プロセッサは、さらに、
ヌメロロジーに基づき、対応する第３スロット数セットを決定することと、ネットワーク側機器から送信された設定情報に基づき、前記対応する第３スロット数セットから１つのスロット数の値を選択することとに用いられる、請求項２６に記載のユーザ端末。
【請求項３０】
前記スロット数セットは、各ヌメロロジーに対し予め定義した第４スロット数セットであり、
前記第２プロセッサは、さらに、
ヌメロロジーに基づき、対応する第４スロット数セットを決定することに用いられ、
前記第２トランシーバは、さらに、
前記ネットワーク側機器から前記ユーザ端末に設定した複数のスロット数の値であって、ヌメロロジーに基づいて決定した対応する第４スロット数セットのうちの値である前記複数のスロット数の値を受信することに用いられ、
前記第２プロセッサは、さらに、
ネットワーク側機器から送信された設定情報に基づき、前記複数のスロット数の値から１つのスロット数の値を選択することに用いられる、請求項２６に記載のユーザ端末。
【請求項３１】
前記第２トランシーバは、さらに、
前記ネットワーク側機器から前記ユーザ端末に設定した複数のスロット数の値をハイレイヤシグナリングによって受信することに用いられる、請求項３０に記載のユーザ端末。
【請求項３２】
前記第２プロセッサは、さらに、
ネットワーク側機器から送信されて前記１つのスロット数の値を決定するための設定情報を、ハイレイヤシグナリングまたはダウンリンク制御情報ＤＣＩによって受信することに用いられる、請求項２６〜３１のいずれか一項に記載のユーザ端末。
【請求項３３】
メモリと、プロセッサと、トランシーバと、メモリに格納されてプロセッサで実行可能なコンピュータプログラムを含むネットワーク側機器において、
前記プロセッサが前記プログラムを実行すると、請求項１〜８のいずれか一項に記載のマルチスロット伝送方法のステップが実現される、ネットワーク側機器。
【請求項３４】
メモリと、プロセッサと、トランシーバと、メモリに格納されてプロセッサで実行可能なコンピュータプログラムを含むユーザ端末において、
前記プロセッサが前記プログラムを実行すると、請求項９〜１６のいずれか一項に記載のマルチスロット伝送方法のステップが実現される、ユーザ端末。
【請求項３５】
コンピュータプログラムが格納されているコンピュータ読み取り可能な記憶媒体であって、
当該プログラムがプロセッサによって実行されると、請求項１〜８のいずれか一項に記載のマルチスロット伝送方法のステップが実現され、または、請求項９〜１６のいずれか一項に記載のマルチスロット伝送方法のステップが実現される、コンピュータ読み取り可能な記憶媒体。
【発明の詳細な説明】
【技術分野】
【０００１】
本願は、２０１７年１１月１７日に中国特許庁に提出された中国特許出願２０１７１１１４７２０５．２の優先権を主張し、その全ての内容が援用によりここに取り込まれる。
本開示は、通信技術分野に係り、特にマルチスロット（ｓｌｏｔ）伝送方法および機器に係る。
【背景技術】
【０００２】
移動通信のトラフィックニーズの発展および変化に伴い、ＩＴＵ（Ｉｎｔｅｒｎａｔｉｏｎａｌ  Ｔｅｌｅｃｏｍｍｕｎｉｃａｔｉｏｎ  Ｕｎｉｏｎ）や３ＧＰＰ（登録商標）などの機構では、５Ｇ  ＮＲ（５  Ｇｅｎｅｒａｔｉｏｎ  Ｎｅｗ  Ｒａｄｉｏ）など、新規の無線通信システムの研究を始めている。新規の無線通信システムでは、新規のフレーム構造が定義され、異なるヌメロロジー（サブキャリア間隔などのパラメータを含む）がサポートされる。異なるヌメロロジーに対し、１つのサブフレームの長さは、常に１ｍｓに定義される。１つのサブフレームにＡ個のｓｌｏｔを含むが、異なるヌメロロジーに対応し、１つのサブフレームの長さが１ｍｓであることを満たすために、Ａの数は、異なる可能性がある。異なるヌメロロジーに対し、１つのｓｌｏｔに７または１４個のシンボル（ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）またはＤＦＴ−Ｓ−ＯＦＤＭ（ＤｉｒｅｃｔＦｏｕｒｉｅｒ  Ｔｒａｎｓｆｏｒｍｅｒ  Ｓｐｒｅａｄ  Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）などのシンボル）が含まれる。１つのｓｌｏｔは、多種類のｓｌｏｔ構造／フォーマットを有し、異なるｓｌｏｔ構造／フォーマットは、異なるアップリンク／ダウンリンクリソース割り当てに対応する。たとえば、１つのｓｌｏｔの中のすべてのシンボルは、すべてダウンリンク伝送に用いられてもよく（ＤＬ  ｏｎｌｙ  ｓｌｏｔ）、すべてアップリンク伝送に用いられてもよく（ＵＬ  ｏｎｌｙ  ｓｌｏｔ）、さらに、一部がアップリンク伝送に用いられ、一部がダウンリンク伝送に用いられてもよい（ＤＬ＋ＵＬ  ｓｌｏｔ）。ｓｌｏｔ構造／フォーマットは、半静的方式でＲＲＣ（Ｒａｄｉｏ  Ｒｅｓｏｕｒｃｅ  Ｃｏｎｔｒｏｌ）シグナリングによってＵＥ（Ｕｓｅｒ  Ｅｑｕｉｐｍｅｎｔ）に通知されてもよいが、ｓｌｏｔ構造の動的変化を実現するために、動的方式で例えばＧｒｏｕｐ  Ｃｏｍｍｏｎ  ＰＤＣＣＨによってＵＥに通知されてもよい。
【０００３】
１つのｓｌｏｔに含まれるアップリンクシンボル数が変化する可能性があるため、５Ｇ  ＮＲシステムでは、長いＮＲ−ＰＵＣＣＨと短いＮＲ−ＰＵＣＣＨとの２種類のＮＲ−ＰＵＣＣＨを定義している。ここで、長いＮＲ−ＰＵＣＣＨは、１つのｓｌｏｔで４〜１４個のシンボルを占用して伝送する。ＮＲシステムでは異なるヌメロロジーがサポートされ、異なるヌメロロジーは、少なくとも異なるサブキャリア間隔および異なるシンボル長に対応する。
【０００４】
しかし、５Ｇ  ＮＲシステムにおいて、ＰＵＣＣＨのマルチスロット伝送におけるスロット数を決定することは、解決が急がれる技術問題になっている。
【発明の概要】
【発明が解決しようとする課題】
【０００５】
上記の技術問題に鑑みて、本開示の実施例は、マルチスロット伝送方法および機器を提供することによって、ＰＵＣＣＨのマルチスロット伝送におけるスロット数を決定する問題を解決しようとする。
【課題を解決するための手段】
【０００６】
第１方面では、ネットワーク側機器に応用されるマルチスロット伝送方法において、スロット数セットから１つのスロット数の値を決定することと、前記スロット数の値をユーザ端末に送信することとを含み、前記スロット数の値は、前記ユーザ端末によるマルチスロットのＰＵＣＣＨおよび／またはＰＵＳＣＨ伝送に用いられる。
【０００７】
選択可能に、前記スロット数セットは、予め定義された第１スロット数セットであり、前記のスロット数セットから１つのスロット数の値を決定することは、前記第１スロット数セットから１つのスロット数の値を選択することを含む。
【０００８】
選択可能に、前記スロット数セットは、予め定義された第２スロット数セットであり、前記のスロット数セットから１つのスロット数の値を決定することは、前記ユーザ端末に設定した複数のスロット数の値を前記第２スロット数セットから決定することと、前記複数のスロット数の値から１つのスロット数の値を選択することとを含む。
【０００９】
選択可能に、前記方法において、ハイレイヤシグナリングによって前記ユーザ端末に前記複数のスロット数の値を設定することをさらに含む。
【００１０】
選択可能に、前記スロット数セットは、各ヌメロロジーに対し予め定義した第３スロット数セットであり、前記のスロット数セットから１つのスロット数の値を決定することは、ヌメロロジーに基づき、対応する第３スロット数セットを決定することと、前記対応する第３スロット数セットから１つのスロット数の値を選択することとを含む。
【００１１】
選択可能に、前記スロット数セットは、各ヌメロロジーに対し予め定義した第４スロット数セットであり、前記のスロット数セットから１つのスロット数の値を決定することは、ヌメロロジーに基づき、対応する第４スロット数セットを決定することと、前記ユーザ端末に設定した複数のスロット数の値を前記第４スロット数セットから決定することと、前記複数のスロット数の値から１つのスロット数の値を選択することとを含む。
【００１２】
選択可能に、前記方法において、ハイレイヤシグナリングによって前記ユーザ端末に前記複数のスロット数の値を設定することをさらに含む。
【００１３】
選択可能に、前記の前記スロット数の値をユーザ端末に送信することは、ハイレイヤシグナリングまたはダウンリンク制御情報ＤＣＩによってユーザ端末に前記スロット数の値を送信することを含む。
【００１４】
第２方面では、ユーザ端末に応用されるマルチスロット伝送方法において、スロット数セットから１つのスロット数の値を決定することと、前記スロット数の値に基づき、マルチスロットのＰＵＣＣＨおよび／またはＰＵＳＣＨ伝送を行うこととを含む。
【００１５】
選択可能に、前記スロット数セットは、予め定義された第１スロット数セットであり、前記のスロット数セットから１つのスロット数の値を決定することは、ネットワーク側機器から送信された設定情報に基づき、前記第１スロット数セットから１つのスロット数の値を選択することを含む。
【００１６】
選択可能に、前記スロット数セットは、予め定義された第２スロット数セットであり、前記のスロット数セットから１つのスロット数の値を決定することは、前記ネットワーク側機器から前記ユーザ端末に設定した複数のスロット数の値であって、前記第２スロット数セットのうちの値である前記複数のスロット数の値を受信することと、ネットワーク側機器から送信された設定情報に基づき、前記複数のスロット数の値から１つのスロット数の値を選択することとを含む。
【００１７】
選択可能に、前記方法において、前記ネットワーク側機器から前記ユーザ端末に設定した複数のスロット数の値をハイレイヤシグナリングによって受信することをさらに含む。
【００１８】
選択可能に、前記スロット数セットは、各ヌメロロジーに対し予め定義した第３スロット数セットであり、前記のスロット数セットから１つのスロット数の値を決定することは、ヌメロロジーに基づき、対応する第３スロット数セットを決定することと、ネットワーク側機器から送信された設定情報に基づき、前記対応する第３スロット数セットから１つのスロット数の値を選択することとを含む。
【００１９】
選択可能に、前記スロット数セットは、各ヌメロロジーに対し予め定義した第４スロット数セットであり、前記のスロット数セットから１つのスロット数の値を決定することは、ヌメロロジーに基づき、対応する第４スロット数セットを決定することと、前記ネットワーク側機器から前記ユーザ端末に設定した複数のスロット数の値であって、ヌメロロジーに基づいて決定した対応する第４スロット数セットのうちの値である前記複数のスロット数の値を受信することと、ネットワーク側機器から送信された設定情報に基づき、前記複数のスロット数の値から１つのスロット数の値を選択することとを含む。
【００２０】
選択可能に、前記方法において、前記ネットワーク側機器から前記ユーザ端末に設定した複数のスロット数の値をハイレイヤシグナリングによって受信することをさらに含む。
【００２１】
選択可能に、前記方法において、ネットワーク側機器から送信されて前記１つのスロット数の値を決定するための設定情報を、ハイレイヤシグナリングまたはダウンリンク制御情報ＤＣＩによって受信することをさらに含む。
【００２２】
第３方面では、スロット数セットから１つのスロット数の値を決定するための第１プロセッサと、前記スロット数の値をユーザ端末に送信するための第１トランシーバとを含むネットワーク側機器を提供し、前記スロット数の値は、前記ユーザ端末によるマルチスロットのＰＵＣＣＨおよび／またはＰＵＳＣＨ伝送に用いられる。
【００２３】
選択可能に、前記スロット数セットは、予め定義された第１スロット数セットであり、前記第１プロセッサは、さらに、前記第１スロット数セットから１つのスロット数の値を選択することに用いられる。
【００２４】
選択可能に、前記スロット数セットは、予め定義された第２スロット数セットであり、前記第１プロセッサは、さらに、前記ユーザ端末に設定した複数のスロット数の値を前記第２スロット数セットから決定することと、前記複数のスロット数の値から１つのスロット数の値を選択することとに用いられる。
【００２５】
選択可能に、前記第１プロセッサは、さらに、ハイレイヤシグナリングによって前記ユーザ端末に前記複数のスロット数の値を設定することに用いられる。
【００２６】
選択可能に、前記スロット数セットは、各ヌメロロジーに対し予め定義した第３スロット数セットであり、前記第１プロセッサは、さらに、ヌメロロジーに基づき、対応する第３スロット数セットを決定することと、前記対応する第３スロット数セットから１つのスロット数の値を選択することとに用いられる。
【００２７】
選択可能に、前記スロット数セットは、各ヌメロロジーに対し予め定義した第４スロット数セットであり、前記第１プロセッサは、さらに、ヌメロロジーに基づき、対応する第４スロット数セットを決定することと、前記ユーザ端末に設定した複数のスロット数の値を前記第４スロット数セットから決定することと、前記複数のスロット数の値から１つのスロット数の値を選択することとに用いられる。
【００２８】
選択可能に、前記第１プロセッサは、さらに、ハイレイヤシグナリングによって前記ユーザ端末に前記複数のスロット数の値を設定することに用いられる。
【００２９】
選択可能に、前記第１トランシーバは、さらに、ハイレイヤシグナリングまたはダウンリンク制御情報ＤＣＩによってユーザ端末に前記スロット数の値を送信することに用いられる。
【００３０】
第４方面では、スロット数セットから１つのスロット数の値を決定するための第２プロセッサと、前記スロット数の値に基づき、マルチスロットのＰＵＣＣＨおよび／またはＰＵＳＣＨ伝送を行うための第２トランシーバとを含むユーザ端末を提供する。
【００３１】
選択可能に、前記スロット数セットは、予め定義された第１スロット数セットであり、前記第２プロセッサは、さらに、ネットワーク側機器から送信された設定情報に基づき、前記第１スロット数セットから１つのスロット数の値を選択することに用いられる。
【００３２】
選択可能に、前記スロット数セットは、予め定義された第２スロット数セットであり、前記第２トランシーバは、さらに、前記ネットワーク側機器から前記ユーザ端末に設定した複数のスロット数の値であって、前記第２スロット数セットのうちの値である前記複数のスロット数の値を受信することに用いられ、前記第２プロセッサは、さらに、ネットワーク側機器から送信された設定情報に基づき、前記複数のスロット数の値から１つのスロット数の値を選択することに用いられる。
【００３３】
選択可能に、前記第２プロセッサは、さらに、前記ネットワーク側機器から前記ユーザ端末に設定した複数のスロット数の値をハイレイヤシグナリングによって受信することに用いられる。
【００３４】
選択可能に、前記スロット数セットは、各ヌメロロジーに対し予め定義した第３スロット数セットであり、前記第２プロセッサは、さらに、ヌメロロジーに基づき、対応する第３スロット数セットを決定することと、ネットワーク側機器から送信された設定情報に基づき、前記対応する第３スロット数セットから１つのスロット数の値を選択することとに用いられる。
【００３５】
選択可能に、前記スロット数セットは、各ヌメロロジーに対し予め定義した第４スロット数セットであり、前記第２プロセッサは、さらに、ヌメロロジーに基づき、対応する第４スロット数セットを決定することに用いられ、前記第２トランシーバは、さらに、前記ネットワーク側機器から前記ユーザ端末に設定した複数のスロット数の値であって、ヌメロロジーに基づいて決定した対応する第４スロット数セットのうちの値である前記複数のスロット数の値を受信することに用いられ、前記第２プロセッサは、さらに、ネットワーク側機器から送信された設定情報に基づき、前記複数のスロット数の値から１つのスロット数の値を選択することに用いられる。
【００３６】
選択可能に、前記第２トランシーバは、さらに、前記ネットワーク側機器から前記ユーザ端末に設定した複数のスロット数の値をハイレイヤシグナリングによって受信することに用いられる。
【００３７】
選択可能に、前記第２プロセッサは、さらに、ネットワーク側機器から送信されて前記１つのスロット数の値を決定するための設定情報を、ハイレイヤシグナリングまたはダウンリンク制御情報ＤＣＩによって受信することに用いられる。
【００３８】
第５方面では、メモリと、プロセッサと、トランシーバと、メモリに格納されてプロセッサで実行可能なコンピュータプログラムを含むネットワーク側機器をさらに提供する。前記プロセッサが前記プログラムを実行すると、第１方面に記載のマルチスロット伝送方法のステップが実現される。
【００３９】
第６方面では、メモリと、プロセッサと、トランシーバと、メモリに格納されてプロセッサで実行可能なコンピュータプログラムを含むユーザ端末をさらに提供する。前記プロセッサが前記プログラムを実行すると、第２方面に記載のマルチスロット伝送方法のステップが実現される。
【００４０】
第７方面において、コンピュータプログラムが格納されているコンピュータ読み取り可能な記憶媒体をさらに提供する。当該プログラムがプロセッサによって実行されると、第１方面に記載のマルチスロット伝送方法のステップが実現され、または、第２方面に記載のマルチスロット伝送方法のステップが実現される。
【発明の効果】
【００４１】
このように、ＵＥは、予め設定されたスロット数セットからスロット数の値をネットワーク側の設定に基づいて決定することができ、マルチスロットのＰＵＣＣＨおよび／またはＰＵＳＣＨ伝送を行うことができるため、ＰＵＣＣＨおよび／またはＰＵＳＣＨ伝送の性能とアップリンクカバレッジを向上させる。
【図面の簡単な説明】
【００４２】
本開示の実施例の技術手段をより明確に説明するために、以下、本開示の実施例の記載に必要とされる図面を簡単に紹介する。明らかに、以下の記載に関する図面は、単に本開示の一部の実施例である。当業者にとって、創造性のある作業をしないという前提で、これらの図面から他の図面を得ることもできる。
【００４３】
【図１】本開示の実施例の無線通信システムのアーキテクチャ図である。
【図２】本開示の実施例のマルチスロット伝送方法のフローチャートその１である。
【図３】本開示の実施例のマルチスロット伝送方法のフローチャートその２である。
【図４】本開示の実施例のマルチスロット伝送方法のフローチャートその３である。
【図５】本開示の実施例のマルチスロット伝送方法のフローチャートその４である。
【図６】本開示の実施例のマルチスロット伝送方法のフローチャートその５である。
【図７】本開示の実施例のマルチスロット伝送方法のフローチャートその６である。
【図８】本開示の実施例のマルチスロット伝送方法のフローチャートその７である。
【図９】本開示の実施例のマルチスロット伝送方法のフローチャートその８である。
【図１０】本開示の実施例のマルチスロット伝送方法のフローチャートその９である。
【図１１】本開示の実施例のマルチスロット伝送方法のフローチャートその１０である。
【図１２】本開示の実施例のネットワーク側機器の構造図その１である。
【図１３】本開示の実施例のユーザ端末の構造図その１である。
【図１４】本開示の実施例のネットワーク側機器の構造図その２である。
【図１５】本開示の実施例のユーザ端末の構造図その２である。
【発明を実施するための形態】
【００４４】
本開示の実施例の技術手段をより明確に説明するために、以下、本開示の実施例に必要とされる図面を簡単に紹介する。明らかに、以下の記載に関する図面は、単に本開示の一部の実施例である。当業者にとって、創造性のある作業をしないという前提で、これらの図面から他の図面を得ることもできる。
【００４５】
本明細書において、「および／または」との用語は、関連対象の関連関係を表現するものに過ぎず、存在可能な３種類の関係を示す。例えば、Ａおよび／またはＢの場合、Ａのみ、ＡとＢの両方、Ｂのみの３種類の場合を示す。
【００４６】
本開示の実施例の明細書および特許請求の範囲における「第１」、「第２」などの用語は、異なる対象を区別するためのものであり、対象の特定な順番を表現するためのものではない。たとえば、第１プロセッサ、第２プロセッサは、異なるプロセッサを区別することに用いられるものであり、プロセッサの特定な順番を表現することに用いられるものではない。
【００４７】
本開示の実施例において、「例示的」または「たとえば」などの用語は、例、例示または説明とすることを示す。本開示の実施例で「例示的」または「たとえば」によって記載されるあらゆる実施例や設計案は、ほかの実施例や設計案より好適だったり利点を有したりするというふうに解釈されるべきではない。適切に言えば、「例示的」または「たとえば」などの用語を使用することは、具体的な方式で関連概念を示すことに目的とする。
【００４８】
以下、図面を参照して本開示の実施例を紹介する。本開示の実施例におけるダウンリンク制御チャネル送信方法および機器、ダウンリンク制御チャネル受信方法および機器は、無線通信システムに応用可能である。当該無線通信システムは、５Ｇ移動通信技術が用いられるシステム（以下、５Ｇシステムと略称する）である。図１は、本開示の実施例における無線通信システムのアーキテクチャ図である。図１に示すように、当該無線通信システムは、ネットワーク側機器１０とユーザ端末ＵＥ（Ｕｓｅｒ  Ｅｑｕｉｐｍｅｎｔ）を含む。ユーザ端末は、たとえばＵＥ１１と記し、ネットワーク側機器１０とは通信可能である。実際の応用において、上記各機器の間の接続は、無線接続であってもよい。各機器の間の接続関係を容易かつ直観的に示すために、図１では実線で示している。
【００４９】
なお、上記通信システムは、複数のＵＥを含んでもよく、ネットワーク側機器が複数のＵＥとは通信可能である（シグナリングまたはデータを伝送する）。
【００５０】
本開示の実施例におけるネットワーク側機器は、基地局である。当該ネットワーク側機器は、一般的に用いられる基地局であってもよく、ｅＮＢ（ｅｖｏｌｖｅｄ  ｎｏｄｅ  ｂａｓｅ  ｓｔａｔｉｏｎ）であってもよく、５Ｇシステムのネットワーク側機器（たとえばｇＮＢ（ｎｅｘｔ  ｇｅｎｅｒａｔｉｏｎ  ｎｏｄｅ  ｂａｓｅ  ｓｔａｔｉｏｎ））またはＴＲＰ（ｔｒａｎｓｍｉｓｓｉｏｎ  ａｎｄ  ｒｅｃｅｐｔｉｏｎ  ｐｏｉｎｔ）などの機器であってもよい。
【００５１】
本開示の実施例におけるユーザ端末は、携帯電話、タブレットパソコン、ノートパソコン、ＵＭＰＣ（Ｕｌｔｒａ−Ｍｏｂｉｌｅ  Ｐｅｒｓｏｎａｌ  Ｃｏｍｐｕｔｅｒ）、ネットブックまたはＰＤＡ（Ｐｅｒｓｏｎａｌ  Ｄｉｇｉｔａｌ  Ａｓｓｉｓｔａｎｔ）などである。
【００５２】
図２には、マルチスロット伝送方法のフローが示されている。当該方法は、実行エンティティがネットワーク側機器であり、具体的に以下のステップを含む。
【００５３】
ステップ２０１において、スロット数セットから１つのスロット数の値を決定する。
【００５４】
本開示の実施例において、選択可能に、当該スロット数セットは、ヌメロロジーを区別せずに予め定義したスロット数セットであってもよく、ヌメロロジー毎に予め定義したスロット数セットであってもよい。
【００５５】
なお、本開示の実施例において、スロット数セットのうちのスロット数の値の数は、具体的に限定しない。
【００５６】
ステップ２０２において、スロット数の値をユーザ端末に送信する。当該スロット数の値は、ユーザ端末によるマルチスロットのＰＵＣＣＨおよび／またはＰＵＳＣＨ伝送に用いられる。
【００５７】
本開示の実施例において、選択可能に、スロット数の値をハイレイヤシグナリングまたはダウンリンク制御情報（ＤＣＩ）によってユーザ端末に送信するが、もちろん、これに限られない。
【００５８】
このように、ＵＥは、予め設定されたスロット数セットからスロット数の値をネットワーク側の設定に基づいて決定することができ、マルチスロットのＰＵＣＣＨおよび／またはＰＵＳＣＨ伝送を行うことができるため、ＰＵＣＣＨおよび／またはＰＵＳＣＨ伝送の性能とアップリンクカバレッジを向上させる。
【００５９】
図３には、マルチスロット伝送方法のフローが示されている。当該方法は、実行エンティティがネットワーク側機器であり、具体的に以下のステップを含む。
【００６０】
ステップ３０１において、第１スロット数セットから１つのスロット数の値を選択する。
【００６１】
本開示の実施例において、第１スロット数セットは、ヌメロロジーを区別せずに予め定義したスロット数セットである。
【００６２】
ステップ３０２において、スロット数の値をユーザ端末に送信する。当該スロット数の値は、前記ユーザ端末によるマルチスロットのＰＵＣＣＨおよび／またはＰＵＳＣＨ伝送に用いられる。
【００６３】
本開示の実施例において、選択可能に、スロット数の値をハイレイヤシグナリングまたはダウンリンク制御情報（ＤＣＩ）によってユーザ端末に送信するが、もちろん、これに限られない。
【００６４】
このように、ＵＥは、予め設定されたスロット数セットからスロット数の値をネットワーク側の設定に基づいて決定することができ、マルチスロットのＰＵＣＣＨおよび／またはＰＵＳＣＨ伝送を行うことができるため、ＰＵＣＣＨおよび／またはＰＵＳＣＨ伝送の性能とアップリンクカバレッジを向上させる。
【００６５】
図４には、マルチスロット伝送方法のフローが示されている。当該方法は、実行エンティティがネットワーク側機器であり、具体的に以下のステップを含む。
【００６６】
ステップ４０１において、ユーザ端末に設定した複数のスロット数の値を第２スロット数セットから決定する。
【００６７】
本開示の実施例において、第２スロット数セットは、予め定義したヌメロロジーを区別しないスロット数セットである。
【００６８】
ステップ４０２において、複数のスロット数の値から１つのスロット数の値を選択する。
【００６９】
ステップ４０３において、スロット数の値をユーザ端末に送信する。前記スロット数の値は、前記ユーザ端末によるマルチスロットのＰＵＣＣＨおよび／またはＰＵＳＣＨ伝送に用いられる。
【００７０】
本開示の実施例において、選択可能に、スロット数の値をハイレイヤシグナリングまたはダウンリンク制御情報（ＤＣＩ）によってユーザ端末に送信するが、もちろん、これに限られない。
【００７１】
本開示の実施例において、選択可能に、ハイレイヤシグナリングによってユーザ端末に複数のスロット数の値を設定する。
【００７２】
このように、ＵＥは、予め設定されたスロット数セットからスロット数の値をネットワーク側の設定に基づいて決定することができ、マルチスロットのＰＵＣＣＨおよび／またはＰＵＳＣＨ伝送を行うことができるため、ＰＵＣＣＨおよび／またはＰＵＳＣＨ伝送の性能とアップリンクカバレッジを向上させる。
【００７３】
図５には、マルチスロット伝送方法のフローが示されている。当該方法は、実行エンティティがネットワーク側機器であり、具体的に以下のステップを含む。
【００７４】
ステップ５０１において、ヌメロロジーに基づき、対応する第３スロット数セットを決定する。
【００７５】
本開示の実施例において、第３スロット数セットは、ヌメロロジー毎に予め定義したスロット数セットである。
【００７６】
ステップ５０２において、対応する第３スロット数セットから１つのスロット数の値を選択する。
【００７７】
ステップ５０３において、スロット数の値をユーザ端末に送信する。スロット数の値は、前記ユーザ端末によるマルチスロットのＰＵＣＣＨおよび／またはＰＵＳＣＨ伝送に用いられる。
【００７８】
本開示の実施例において、選択可能に、スロット数の値をハイレイヤシグナリングまたはダウンリンク制御情報（ＤＣＩ）によってユーザ端末に送信するが、もちろん、これに限られない。
【００７９】
このように、ＵＥは、予め設定されたスロット数セットからスロット数の値をネットワーク側の設定に基づいて決定することができ、マルチスロットのＰＵＣＣＨおよび／またはＰＵＳＣＨ伝送を行うことができるため、ＰＵＣＣＨおよび／またはＰＵＳＣＨ伝送の性能とアップリンクカバレッジを向上させる。
【００８０】
図６には、マルチスロット伝送方法のフローが示されている。当該方法は、実行エンティティがネットワーク側機器であり、具体的に以下のステップを含む。
【００８１】
ステップ６０１において、ヌメロロジーに基づき、対応する第４スロット数セットを決定する。
【００８２】
本開示の実施例において、第４スロット数セットは、ヌメロロジー毎に予め定義したスロット数セットである。
【００８３】
ステップ６０２において、ユーザ端末に設定した複数のスロット数の値を第４スロット数セットから決定する。
【００８４】
ステップ６０３において、複数のスロット数の値から１つのスロット数の値を選択する。
【００８５】
ステップ６０４において、スロット数の値をユーザ端末に送信する。前記スロット数の値は、前記ユーザ端末によるマルチスロットのＰＵＣＣＨおよび／またはＰＵＳＣＨ伝送に用いられる。
【００８６】
本開示の実施例において、選択可能に、ハイレイヤシグナリングによって前記ユーザ端末に前記複数のスロット数の値を設定する。
【００８７】
本開示の実施例において、選択可能に、スロット数の値をハイレイヤシグナリングまたはダウンリンク制御情報（ＤＣＩ）によってユーザ端末に送信するが、もちろん、これに限られない。
【００８８】
このように、ＵＥは、予め設定されたスロット数セットからスロット数の値をネットワーク側の設定に基づいて決定することができ、マルチスロットのＰＵＣＣＨおよび／またはＰＵＳＣＨ伝送を行うことができるため、ＰＵＣＣＨおよび／またはＰＵＳＣＨ伝送の性能とアップリンクカバレッジを向上させる。
【００８９】
図７には、マルチスロット伝送方法のフローが示されている。当該方法は、実行エンティティがＵＥであり、具体的に以下のステップを含む。
【００９０】
ステップ７０１において、スロット数セットから１つのスロット数の値を決定する。
【００９１】
本開示の実施例において、選択可能に、当該スロット数セットは、ヌメロロジーを区別せずに予め定義したスロット数セットであってもよく、ヌメロロジー毎に予め定義したスロット数セットであってもよい。
【００９２】
本開示の実施例において、選択可能に、ネットワーク側機器から送信されて１つのスロット数の値を決定するための設定情報を、ハイレイヤシグナリングまたはダウンリンク制御情報ＤＣＩによって受信する。
【００９３】
ステップ７０２において、スロット数の値に基づき、マルチスロットのＰＵＣＣＨおよび／またはＰＵＳＣＨ伝送を行う。
【００９４】
このように、ＵＥは、予め設定されたスロット数セットからスロット数の値をネットワーク側の設定に基づいて決定することができ、マルチスロットのＰＵＣＣＨおよび／またはＰＵＳＣＨ伝送を行うことができるため、ＰＵＣＣＨおよび／またはＰＵＳＣＨ伝送の性能とアップリンクカバレッジを向上させる。
【００９５】
図８には、マルチスロット伝送方法のフローが示されている。当該方法は、実行エンティティがＵＥであり、具体的に以下のステップを含む。
【００９６】
ステップ８０１において、ネットワーク側機器から送信された設定情報に基づき、第１スロット数セットから１つのスロット数の値を選択する。
【００９７】
本開示の実施例において、第１スロット数セットは、予め定義されたスロット数セットである。
【００９８】
ステップ８０２において、スロット数の値に基づき、マルチスロットのＰＵＣＣＨおよび／またはＰＵＳＣＨ伝送を行う。
【００９９】
本開示の実施例において、選択可能に、ネットワーク側機器から送信されて１つのスロット数の値を決定するための設定情報を、ハイレイヤシグナリングまたはダウンリンク制御情報ＤＣＩによって受信する。
【０１００】
このように、ＵＥは、予め設定されたスロット数セットからスロット数の値をネットワーク側の設定に基づいて決定することができ、マルチスロットのＰＵＣＣＨおよび／またはＰＵＳＣＨ伝送を行うことができるため、ＰＵＣＣＨおよび／またはＰＵＳＣＨ伝送の性能とアップリンクカバレッジを向上させる。
【０１０１】
図９には、マルチスロット伝送方法のフローが示されている。当該方法は、実行エンティティがＵＥであり、具体的に以下のステップを含む。
【０１０２】
ステップ９０１において、ネットワーク側機器からユーザ端末に設定した複数のスロット数の値を受信し、複数のスロット数の値が第２スロット数セットのうちの値である。
【０１０３】
本開示の実施例において、第２スロット数セットは、予め定義されたスロット数セットである。
【０１０４】
本開示の実施例において、選択可能に、前記ネットワーク側機器から前記ユーザ端末に設定した複数のスロット数の値をハイレイヤシグナリングによって受信する。
【０１０５】
ステップ９０２において、ネットワーク側機器から送信された設定情報に基づき、複数のスロット数の値から１つのスロット数の値を選択する。
【０１０６】
ステップ９０３において、スロット数の値に基づき、マルチスロットのＰＵＣＣＨおよび／またはＰＵＳＣＨ伝送を行う。
【０１０７】
本開示の実施例において、選択可能に、ネットワーク側機器から送信されて１つのスロット数の値を決定するための設定情報を、ハイレイヤシグナリングまたはダウンリンク制御情報ＤＣＩによって受信する。
【０１０８】
このように、ＵＥは、予め設定されたスロット数セットからスロット数の値をネットワーク側の設定に基づいて決定することができ、マルチスロットのＰＵＣＣＨおよび／またはＰＵＳＣＨ伝送を行うことができるため、ＰＵＣＣＨおよび／またはＰＵＳＣＨ伝送の性能とアップリンクカバレッジを向上させる。
【０１０９】
図１０には、マルチスロット伝送方法のフローが示されている。当該方法は、実行エンティティがＵＥであり、具体的に以下のステップを含む。
【０１１０】
ステップ１００１において、ヌメロロジーに基づき、対応する第３スロット数セットを決定する。
【０１１１】
本開示の実施例において、第３スロット数セットは、ヌメロロジー毎に予め定義したスロット数セットである。
【０１１２】
ステップ１００２において、ネットワーク側機器から送信された設定情報に基づき、対応する第３スロット数セットから１つのスロット数の値を選択する。
【０１１３】
ステップ１００３において、スロット数の値に基づき、マルチスロットのＰＵＣＣＨおよび／またはＰＵＳＣＨ伝送を行う。
【０１１４】
本開示の実施例において、選択可能に、ネットワーク側機器から送信されて１つのスロット数の値を決定するための設定情報を、ハイレイヤシグナリングまたはダウンリンク制御情報ＤＣＩによって受信する。
【０１１５】
このように、ＵＥは、予め設定されたスロット数セットからスロット数の値をネットワーク側の設定に基づいて決定することができ、マルチスロットのＰＵＣＣＨおよび／またはＰＵＳＣＨ伝送を行うことができるため、ＰＵＣＣＨおよび／またはＰＵＳＣＨ伝送の性能とアップリンクカバレッジを向上させる。
【０１１６】
図１１には、マルチスロット伝送方法のフローが示されている。当該方法は、実行エンティティがＵＥであり、具体的に以下のステップを含む。
【０１１７】
ステップ１１０１において、ヌメロロジーに基づき、対応する第４スロット数セットを決定する。
【０１１８】
本開示の実施例において、第４スロット数セットは、ヌメロロジー毎に予め定義したスロット数セットである。
【０１１９】
ステップ１１０２において、ネットワーク側機器からユーザ端末に設定した複数のスロット数の値を受信し、複数のスロット数の値は、ヌメロロジーに基づいて決定した対応する第４スロット数セットのうちの値である。
【０１２０】
本開示の実施例において、選択可能に、ネットワーク側機器からユーザ端末に設定した複数のスロット数の値をハイレイヤシグナリングによって受信する。
【０１２１】
ステップ１１０３において、ネットワーク側機器から送信された設定情報に基づき、複数のスロット数の値から１つのスロット数の値を選択する。
【０１２２】
ステップ１１０４において、スロット数の値に基づき、マルチスロットのＰＵＣＣＨおよび／またはＰＵＳＣＨ伝送を行う。
【０１２３】
本開示の実施例において、選択可能に、ネットワーク側機器から送信されて１つのスロット数の値を決定するための設定情報を、ハイレイヤシグナリングまたはダウンリンク制御情報ＤＣＩによって受信する。
【０１２４】
このように、ＵＥは、予め設定されたスロット数セットからスロット数の値をネットワーク側の設定に基づいて決定することができ、マルチスロットのＰＵＣＣＨおよび／またはＰＵＳＣＨ伝送を行うことができるため、ＰＵＣＣＨおよび／またはＰＵＳＣＨ伝送の性能とアップリンクカバレッジを向上させる。
【０１２５】
例１
（ヌメロロジーを区別せずに）予めＡ１個のｓｌｏｔ数の値を定義し、Ａ１個のｓｌｏｔ数の値から１つのｓｌｏｔ数の値を選択してＵＥに通知する。
【０１２６】
たとえば、プロトコルでは、予め［１〜３２］のレングスＰで逓増する複数のスロット数の値を定義する。
【０１２７】
ここで、Ｐは、自然数であり、または１であり、または２の倍数であり、または２の冪乗などである。
【０１２８】
たとえば、プロトコルでは、予め［１〜３２］のレングス１で逓増する３２個のスロット数の値を定義し、または、予め［１〜３２］のレングス２で逓増する１６個のスロット数の値を定義し、または、予め［１〜３２］のレングス４で逓増する８個のスロット数の値を定義し、このように類推し、または、予め［１，２，４，８，１６，３２］を定義する。選択した１つのｓｌｏｔ数の値をＵＥに通知する。
【０１２９】
例２
（ヌメロロジーを区別せずに）予めＡ２個のｓｌｏｔ数の値を定義し、そのうちからＢ１個のｓｌｏｔ数の値を選択し、Ｂ１個のｓｌｏｔ数の値をハイレイヤシグナリングによって予めＵＥに設定し、ＵＥに設定したＢ１個のｓｌｏｔ数の値から１つのｓｌｏｔ数の値を選択してＵＥに通知する。
【０１３０】
たとえば、プロトコルでは、予め［１〜３２］のレングスＰで逓増する複数のスロット数の値を定義する。
【０１３１】
ここで、Ｐは、自然数であり、または１であり、または２の倍数であり、または２の冪乗などである。
【０１３２】
たとえば、プロトコルでは、予め［１〜３２］のレングス１で逓増する３２個のスロット数の値を定義し、または、予め［１〜３２］のレングス２で逓増する１６個のスロット数の値を定義し、または、予め［１〜３２］のレングス４で逓増する８個のスロット数の値を定義し、このように類推し、または、予め［１，２，４，８，１６，３２］を定義する。
【０１３３】
上記の予め定義したスロット数セットから選択したＢ１（たとえば３または４である）個のｓｌｏｔ数の値をハイレイヤシグナリングによってＵＥに通知し、ＤＣＩでの （たとえば２ビット）の指示フィールドによってＵＥに通知する。当該指示フィールドは、ハイレイヤシグナリングによって予めＵＥに設定したＢ１個のｓｌｏｔ数の値のうちの１つのｓｌｏｔ数の値を指示する。
【０１３４】
例３
ヌメロロジーの種類毎に予めＡ３個のｓｌｏｔ数の値を定義し、異なるヌメロロジーに対応するＡ３個のｓｌｏｔ数の値は、同じであってもよく異なってもよい。ヌメロロジーに基づき、対応するｓｌｏｔ数セットを決定し、決定したｓｌｏｔ数セットから１つのｓｌｏｔ数の値を選択してＵＥに通知する。
【０１３５】
たとえば、プロトコルでは、表１に示すような、各ヌメロロジーに対するｓｌｏｔ数セットを予め定義し、μが異なるヌメロロジーの番号を示し、２列目が異なるヌメロロジーに対応するサブキャリア間隔Δfであると、ＵＥと基地局は、用いられるヌメロロジーに基づき、対応するｓｌｏｔ数セットを予め決定でき、そのうちの１つのｓｌｏｔ数の値をハイレイヤシグナリングまたはＤＣＩでの指示フィールドによってＵＥに指示する。
【０１３６】
【表１】
2021503780.tif 000003
【０１３７】
例４
ヌメロロジーの種類毎に予めＡ４個のｓｌｏｔ数の値を定義し、異なるヌメロロジーに対応するＡ４個のｓｌｏｔ数の値は、同じであってもよく異なってもよい。ヌメロロジーに基づき、対応するｓｌｏｔ数のフルセットを決定し、決定したｓｌｏｔ数のフルセットからＢ２個のｓｌｏｔ数の値を選択してハイレイヤシグナリングによってＵＥに設定し、Ｂ２個のｓｌｏｔ数の値から１つのｓｌｏｔ数の値を選択してＵＥに通知する。
【０１３８】
たとえば、プロトコルでは、表２に示すような、各ヌメロロジーに対するｓｌｏｔ数セットを予め定義し、μが異なるヌメロロジーの番号を示し、２列目が異なるヌメロロジーに対応するサブキャリア間隔Δfであり、Ｐが自然数または１または２の倍数または２の冪乗などであると、ＵＥと基地局は、用いられるヌメロロジーに基づき、対応するｓｌｏｔ数のフルセットを予め決定でき、基地局は、そのうちからＢ２（たとえばＢ２が３または４である）個のｓｌｏｔ数の値を選択してハイレイヤシグナリングによってＵＥに設定し、ＵＥに通知したｓｌｏｔ数セットから１つのｓｌｏｔ数の値を選択し、ＤＣＩでの指示フィールドによってＵＥに指示する。
【０１３９】
【表２】
2021503780.tif 000004
【０１４０】
本開示の実施例において、ネットワーク側機器をさらに提供する。ネットワーク側機器は、問題を解決しようとする原理が本開示の実施例におけるマルチスロット伝送方法に似るため、当該ネットワーク側機器の実施について、方法の実施を参照し、重複なところを繰り返して記載しない。
【０１４１】
図１２には、ネットワーク側機器１２００の構造が示されている。当該ネットワーク側機器１２００は、スロット数セットから１つのスロット数の値を決定するための第１プロセッサ１２０２と、前記スロット数の値をユーザ端末に送信するための第１トランシーバ１２０１とを含み、前記スロット数の値は、前記ユーザ端末によるマルチスロットのＰＵＣＣＨおよび／またはＰＵＳＣＨ伝送に用いられる。
【０１４２】
本開示の実施例において、選択可能に、前記スロット数セットは、予め定義された第１スロット数セットであり、前記第１プロセッサ１２０２は、さらに、前記第１スロット数セットから１つのスロット数の値を選択することに用いられる。
【０１４３】
本開示の実施例において、選択可能に、前記スロット数セットは、予め定義された第２スロット数セットであり、前記第１プロセッサ１２０２は、さらに、前記ユーザ端末に設定した複数のスロット数の値を前記第２スロット数セットから決定することと、前記複数のスロット数の値から１つのスロット数の値を選択することとに用いられる。
【０１４４】
本開示の実施例において、選択可能に、前記第１プロセッサ１２０２は、さらに、ハイレイヤシグナリングによって前記ユーザ端末に前記複数のスロット数の値を設定することに用いられる。
【０１４５】
本開示の実施例において、選択可能に、前記スロット数セットは、各ヌメロロジーに対し予め定義した第３スロット数セットであり、前記第１プロセッサ１２０２は、さらに、ヌメロロジーに基づき、対応する第３スロット数セットを決定することと、前記対応する第３スロット数セットから１つのスロット数の値を選択することとに用いられる。
【０１４６】
本開示の実施例において、選択可能に、前記スロット数セットは、各ヌメロロジーに対し予め定義した第４スロット数セットであり、前記第１プロセッサ１２０２は、さらに、ヌメロロジーに基づき、対応する第４スロット数セットを決定することと、前記ユーザ端末に設定した複数のスロット数の値を前記第４スロット数セットから決定することと、前記複数のスロット数の値から１つのスロット数の値を選択することとに用いられる。
【０１４７】
本開示の実施例において、選択可能に、前記第１プロセッサ１２０２は、さらに、ハイレイヤシグナリングによって前記ユーザ端末に前記複数のスロット数の値を設定することに用いられる。
【０１４８】
本開示の実施例において、選択可能に、前記第１トランシーバ１２０１は、さらに、ハイレイヤシグナリングまたはダウンリンク制御情報ＤＣＩによってユーザ端末に前記スロット数の値を送信することに用いられる。
【０１４９】
本開示の実施例におけるネットワーク側機器は、上記方法の実施例を実行可能であり、その実現原理と技術効果が類似するため、本実施例で繰り返して記載しない。
【０１５０】
本開示の実施例において、ユーザ端末をさらに提供する。ユーザ端末は、問題を解決しようとする原理が本開示の実施例におけるマルチスロット伝送方法に似るため、当該
ユーザ端末の実施について、方法の実施を参照し、重複なところを繰り返して記載しない。
【０１５１】
図１３には、ユーザ端末１３００の構造が示されている。当該ユーザ端末１３００は、スロット数セットから１つのスロット数の値を決定するための第２プロセッサ１３０１と、前記スロット数の値に基づき、マルチスロットのＰＵＣＣＨおよび／またはＰＵＳＣＨ伝送を行うための第２トランシーバ１３０２とを含む。
【０１５２】
本開示の実施例において、選択可能に、前記スロット数セットは、予め定義された第１スロット数セットであり、前記第２プロセッサ１３０１は、さらに、ネットワーク側機器から送信された設定情報に基づき、前記第１スロット数セットから１つのスロット数の値を選択することに用いられる。
【０１５３】
本開示の実施例において、選択可能に、前記スロット数セットは、予め定義された第２スロット数セットであり、前記第２トランシーバ１３０２は、さらに、前記ネットワーク側機器から前記ユーザ端末に設定した複数のスロット数の値であって、前記第２スロット数セットのうちの値である前記複数のスロット数の値を受信することに用いられ、前記第２プロセッサ１３０１は、さらに、ネットワーク側機器から送信された設定情報に基づき、前記複数のスロット数の値から１つのスロット数の値を選択することに用いられる。
【０１５４】
本開示の実施例において、選択可能に、前記第２プロセッサ１３０１は、さらに、前記ネットワーク側機器から前記ユーザ端末に設定した複数のスロット数の値をハイレイヤシグナリングによって受信することに用いられる。
【０１５５】
本開示の実施例において、選択可能に、前記スロット数セットは、各ヌメロロジーに対し予め定義した第３スロット数セットであり、前記第２プロセッサ１３０１は、さらに、ヌメロロジーに基づき、対応する第３スロット数セットを決定することと、ネットワーク側機器から送信された設定情報に基づき、前記対応する第３スロット数セットから１つのスロット数の値を選択することとに用いられる。
【０１５６】
本開示の実施例において、選択可能に、前記スロット数セットは、各ヌメロロジーに対し予め定義した第４スロット数セットであり、前記第２プロセッサ１３０１は、さらに、ヌメロロジーに基づき、対応する第４スロット数セットを決定することに用いられ、前記第２トランシーバ１３０２は、さらに、前記ネットワーク側機器から前記ユーザ端末に設定した複数のスロット数の値であって、ヌメロロジーに基づいて決定した対応する第４スロット数セットのうちの値である前記複数のスロット数の値を受信することに用いられ、前記第２プロセッサ１３０１は、さらに、ネットワーク側機器から送信された設定情報に基づき、前記複数のスロット数の値から１つのスロット数の値を選択することに用いられる。
【０１５７】
本開示の実施例において、選択可能に、前記第２プロセッサ１３０１は、さらに、前記ネットワーク側機器から前記ユーザ端末に設定した複数のスロット数の値をハイレイヤシグナリングによって受信することに用いられる。
【０１５８】
本開示の実施例において、選択可能に、前記第２トランシーバ１３０２は、さらに、ネットワーク側機器から送信されて前記１つのスロット数の値を決定するための設定情報を、ハイレイヤシグナリングまたはダウンリンク制御情報ＤＣＩによって受信することに用いられる。
【０１５９】
本開示の実施例におけるユーザ端末は、上記方法の実施例を実行可能であり、その実現原理と技術効果が類似するため、本実施例で繰り返して記載しない。
【０１６０】
本開示の実施例は、ネットワーク側機器を提供する。図１４には、本開示の実施例におけるネットワーク側機器の構造図が示されている。図１４に示すように、ネットワーク側機器１４００は、プロセッサ１４０１と、トランシーバ１４０２と、メモリ１４０３と、バスインタフェースを含む。
【０１６１】
ここで、プロセッサ１４０１は、バスアーキテクチャと通常の処理を管理する。メモリ１４０３は、プロセッサ１４０１による操作実行に使用されるデータを記憶できる。
【０１６２】
本開示の実施例において、ネットワーク側機器１４００は、メモリ１４０３に格納されてプロセッサ１４０１で実行可能なコンピュータプログラムをさらに含む。コンピュータプログラムがプロセッサ１４０１によって実行されると、スロット数セットから１つのスロット数の値を決定するステップと、前記スロット数の値をユーザ端末に送信するステップとが実現され、前記スロット数の値は、前記ユーザ端末によるマルチスロットのＰＵＣＣＨおよび／またはＰＵＳＣＨ伝送に用いられる。
【０１６３】
図面において、バスアーキテクチャは、任意数の相互接続するバスとブリッジを含み、具体的に、プロセッサ１４０１をはじめとする１つ又は複数のプロセッサとメモリ１４０３をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバ１４０２は、複数の部品であってもよく、即ち送信機と受信機を含み、伝送媒体でほかの各種類の装置と通信するユニットとして提供される。
【０１６４】
ここで、プロセッサ１４０１は、バスアーキテクチャと通常の処理を管理する。メモリ１４０３は、プロセッサ１４０１による操作実行に使用されるデータを記憶できる。
【０１６５】
図１５に示すように、図１５に示すユーザ端末１５００は、少なくとも１つのプロセッサ１５０１と、メモリ１５０２と、少なくとも１つのネットワークインタフェース１５０４と、ユーザインタフェース１５０３を含む。ユーザ端末１５００における各構成部品は、バスシステム１５０５を介して結合される。バスシステム１５０５は、これらの構成部品の間の接続と通信に用いられることが理解できる。バスシステム１５０５は、データバスのほかに、電源バス、制御バスおよび状態信号バスをさらに含む。ただし、明確に説明するために、図１５において、各種類のバスをすべてバスシステム１５０５として標記している。
【０１６６】
ここで、ユーザインタフェース１５０３は、ディスプレイ、キーボードまたはポインティングデバイス（たとえばマウス、トラックボール（ｔｒａｃｋ  ｂａｌｌ））、タッチパネルまたはタッチスクリーンなどを含む。
【０１６７】
本開示の実施例におけるメモリ１５０２は、揮発性メモリまたは非揮発性メモリであり、または、揮発性メモリと非揮発性メモリの両方を含む。非揮発性メモリは、ＲＯＭ（Ｒｅａｄ−Ｏｎｌｙ  Ｍｅｍｏｒｙ）、ＰＲＯＭ（Ｐｒｏｇｒａｍｍａｂｌｅ  ＲＯＭ）、ＥＰＲＯＭ（Ｅｒａｓａｂｌｅ  ＰＲＯＭ）、ＥＥＰＲＯＭ（Ｅｌｅｃｔｒｉｃａｌｌｙ  ＥＰ  ＲＯＭ）またはフラッシュメモリである。揮発性メモリは、ＲＡＭ（Ｒａｎｄｏｍ  Ａｃｃｅｓｓ  Ｍｅｍｏｒｙ）であり、外部のキャッシュに用いられる。多くの形態のＲＡＭが使用可能であるが、その例として、例えばＳＲＡＭ（Ｓｔａｔｉｃ  ＲＡＭ）、ＤＲＡＭ（Ｄｙｎａｍｉｃ  ＲＡＭ）、ＳＤＲＡＭ（Ｓｙｎｃｈｒｏｎｏｕｓ  ＤＲＡＭ）、ＤＤＲＳＤＲＡＭ（Ｄｏｕｂｌｅ  Ｄａｔａ  Ｒａｔｅ  ＳＤＲＡＭ）、ＥＳＤＲＡＭ（Ｅｎｈａｎｃｅｄ  ＳＤＲＡＭ）、ＳＬＤＲＡＭ（Ｓｙｎｃｈｌｉｎｋ  ＤＲＡＭ）、ＤＲＲＡＭ（Ｄｉｒｅｃｔ  Ｒａｍｂｕｓ  ＲＡＭ）が挙げられるが、それらに限られない。本開示の実施例に記載のシステム及び方法におけるメモリ１５０２は、これらに限られず、これらおよびこれら以外の任意の適合する種類のメモリを含むとする。
【０１６８】
一部実施例において、メモリ１５０２には、実行可能なモジュールまたはデータ構造、またはそれらのサブセット、または、それらの拡張セットであるオペレーティングシステム１５０２１とアプリケーションプログラム１５０２２が記憶されている。
【０１６９】
ここで、オペレーティングシステム１５０２１は、フレーム層、コアライブラリ層、駆動層など各種類のシステムプログラムを含み、各種類のベーシックサービスの実現およびハードウェアに基づくタスクの処理に用いられる。アプリケーションプログラム１５０２２は、メディアプレイヤー（Ｍｅｄｉａ  Ｐｌａｙｅｒ）、ブラウザ（Ｂｒｏｗｓｅｒ）など各種類のアプリケーションプログラムを含み、各種類のアプリケーションサービスの実現に用いられる。本開示の実施例における方法を実現するプログラムは、アプリケーションプログラム１５０２２に含まれる。
【０１７０】
本開示の実施例において、メモリ１５０２に保存されているプログラムまたは指令を呼び出し、具体的に、アプリケーションプログラム１５０２２に保存されているプログラムまたは指令を呼び出すことによって、スロット数セットから１つのスロット数の値を決定するステップと、前記スロット数の値に基づき、マルチスロットのＰＵＣＣＨおよび／またはＰＵＳＣＨ伝送を行うステップとを実現する。
【０１７１】
本開示の実施例は、プログラムが格納されているコンピュータ読み取り可能な記憶媒体をさらに提供する。当該プログラムがプロセッサによって実行されると、以上記載したダウンリンク制御チャネル送信方法のステップが実現され、または、以上記載したダウンリンク制御チャネル検出受信方法のステップが実現される。
【０１７２】
本開示の開示内容と関連付けて記載した方法またはアルゴリズムのステップは、ハードウェアの方式で実現されてもよく、プロセッサでソフトウェア指令を実行する方式で実現されてもよい。ソフトウェア指令は、対応するソフトウェアモジュールで構成される。ソフトウェアモジュールは、ＲＡＭ、フラッシュメモリ、ＲＯＭ、ＥＰＲＯＭ、ＥＥＰＲＯＭ、レジスタ、ハードディスク、移動ハードディスク、リードオンリー光ディスクまたは本分野で周知されているあらゆる形式の記憶媒体に位置する。例示的な記憶媒体は、プロセッサに結合される。よって、プロセッサは、当該記憶媒体から情報を読み取り、かつ当該記憶媒体に情報を書き込むことができる。もちろん、記憶媒体は、プロセッサの構成部分であってもよい。プロセッサと記憶媒体は、ＡＳＩＣに位置してもよい。また、当該ＡＳＩＣは、コアネットワークインタフェース機器に位置ししてもよい。もちろん、プロセッサと記憶媒体は、分離構成としてコアネットワークインタフェース機器に位置してもよい。
【０１７３】
上記の１つまたは複数の例において、本開示に記載の機能がハードウェア、ソフトウェア、ファームウェアまたはそれらの組み合わせによって実現可能であることは、当業者が意識可能である。ソフトウェアで実現される場合、これらの機能をコンピュータ読み取り可能な媒体に記憶するか、コンピュータ読み取り可能な媒体の１つまたは複数の指令またはコードとして伝送される。コンピュータ読み取り可能な媒体は、コンピュータ記憶媒体と通信媒体を含む。通信媒体は、１つの場所から別の場所へコンピュータプログラムを伝送するあらゆる媒体を含む。記憶媒体は、汎用または特殊用途向けのコンピュータによってアクセス可能なあらゆる利用可能な媒体である。
【０１７４】
以上に記載した具体的な実施形態によって、本開示の目的、技術手段および効果をさらなる詳細な説明をした。なお、以上の記載は、本開示の具体的な実施形態に過ぎず、本開示の保護範囲を限定するためのものではない。本開示の技術手段を基に為したあらゆる修正、均等置換および改良などは、すべて本開示の保護範囲に含まれるべきである。
【０１７５】
本開示の実施例は、方法、システム、又はコンピュータプログラムプロダクトとして提供されうると当業者が理解できる。従って、本開示の実施例は、完全にハードウェアの実施例、完全にソフトウェアの実施例、又はソフトウェアとハードウェアを組み合わせた実施例の形態を取り得る。しかも、本開示の実施例は、コンピュータ利用可能なプログラムコードを含む１つ又は複数のコンピュータ利用可能な記憶媒体（磁気ディスクメモリ、ＣＤ−ＲＯＭ、光学メモリなどを含むが、それらに限らない）で実施されるコンピュータプログラムプロダクトの形態を取り得る。
【０１７６】
本開示は、本開示の実施例による方法、デバイス（システム）及びコンピュータプログラムプロダクトのフローチャート及び／又はブロック図を参照にして記載されている。フローチャート及び／又はブロック図における各フロー及び／又はブロック、及びフローチャート及び／又はブロック図におけるフロー及び／又はブロックの組み合わせは、コンピュータプログラムコマンドにより実現されうると理解されるべきである。これらのコンピュータプログラムコマンドを汎用コンピュータ、専用コンピュータ、嵌め込み式プロセッサ又は他のプログラマブルデータ処理デバイスのプロセッサに提供して１つの機器を形成し、コンピュータ又は他のプログラマブルデータ処理デバイスのプロセッサにより実行される指令により、フローチャートの１つ又は複数のフロー及び／又はブロック図の１つ又は複数のブロックで指定される機能を実現するための装置を形成する。
【０１７７】
これらのコンピュータプログラムコマンドは、コンピュータ又は他のプログラマブルデータ処理デバイスに特定の方式で動作させるを導けるコンピュータ読み出し可能なメモリに格納されてもよく、当該コンピュータ読み出し可能なメモリに格納されるコマンドにより、コマンド装置を含むプロダクトを形成する。当該コマンド装置は、フローチャートの１つ又は複数のフロー及び／又はブロック図の１つ又は複数のブロックで指定される機能を実現する。
【０１７８】
これらのコンピュータプログラムコマンドは、コンピュータ又は他のプログラマブルデータ処理デバイスにロードされてもよく、コンピュータ又は他のプログラマブルデータ処理デバイスで一連の操作工程を実行することにより、コンピュータで実現される処理を形成し、コンピュータ又は他のプログラマブルデータ処理デバイスで実行されるコマンドにより、フローチャートの１つ又は複数のフロー及び／又はブロック図の１つ又は複数のブロックで指定される機能を実現するためのステップを提供する。
【０１７９】
明らかに、当業者は、本開示の精神や範囲を逸脱せずに、本開示の実施例に対して様々な変更や変形をすることができる。このように、本開示の実施例のこれらの修正や変形が本開示の請求項及びその同等の技術範囲に含まれるものであれば、本開示は、これらの変更や変形を含むことを意図する。
【図１】
2021503780.tif 000005
【図２】
2021503780.tif 000006
【図３】
2021503780.tif 000007
【図４】
2021503780.tif 000008
【図５】
2021503780.tif 000009
【図６】
2021503780.tif 000010
【図７】
2021503780.tif 000011
【図８】
2021503780.tif 000012
【図９】
2021503780.tif 000013
【図１０】
2021503780.tif 000014
【図１１】
2021503780.tif 000015
【図１２】
2021503780.tif 000016
【図１３】
2021503780.tif 000017
【図１４】
2021503780.tif 000018
【図１５】
2021503780.tif 000019
【手続補正書】
【提出日】令和2年6月17日(2020.6.17)
【手続補正１】
【補正対象書類名】明細書
【補正対象項目名】全文
【補正方法】変更
【補正の内容】
【発明の詳細な説明】
【技術分野】
【０００１】
本願は、２０１７年１１月１７日に中国特許庁に提出された中国特許出願２０１７１１１４７２０５．２の優先権を主張し、その全ての内容が援用によりここに取り込まれる。
本開示は、通信技術分野に係り、特にマルチスロット（ｓｌｏｔ）伝送方法および機器に係る。
【背景技術】
【０００２】
移動通信のトラフィックニーズの発展および変化に伴い、ＩＴＵ（Ｉｎｔｅｒｎａｔｉｏｎａｌ  Ｔｅｌｅｃｏｍｍｕｎｉｃａｔｉｏｎ  Ｕｎｉｏｎ）や３ＧＰＰ（登録商標）などの機構では、５Ｇ  ＮＲ（５  Ｇｅｎｅｒａｔｉｏｎ  Ｎｅｗ  Ｒａｄｉｏ）など、新規の無線通信システムの研究を始めている。新規の無線通信システムでは、新規のフレーム構造が定義され、異なるヌメロロジー（サブキャリア間隔などのパラメータを含む）がサポートされる。異なるヌメロロジーに対し、１つのサブフレームの長さは、常に１ｍｓに定義される。１つのサブフレームにＡ個のｓｌｏｔを含むが、異なるヌメロロジーに対応し、１つのサブフレームの長さが１ｍｓであることを満たすために、Ａの数は、異なる可能性がある。異なるヌメロロジーに対し、１つのｓｌｏｔに７または１４個のシンボル（ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）またはＤＦＴ−Ｓ−ＯＦＤＭ（ＤｉｒｅｃｔＦｏｕｒｉｅｒ  Ｔｒａｎｓｆｏｒｍｅｒ  Ｓｐｒｅａｄ  Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）などのシンボル）が含まれる。１つのｓｌｏｔは、多種類のｓｌｏｔ構造／フォーマットを有し、異なるｓｌｏｔ構造／フォーマットは、異なるアップリンク／ダウンリンクリソース割り当てに対応する。たとえば、１つのｓｌｏｔの中のすべてのシンボルは、すべてダウンリンク伝送に用いられてもよく（ＤＬ  ｏｎｌｙ  ｓｌｏｔ）、すべてアップリンク伝送に用いられてもよく（ＵＬ  ｏｎｌｙ  ｓｌｏｔ）、さらに、一部がアップリンク伝送に用いられ、一部がダウンリンク伝送に用いられてもよい（ＤＬ＋ＵＬ  ｓｌｏｔ）。ｓｌｏｔ構造／フォーマットは、半静的方式でＲＲＣ（Ｒａｄｉｏ  Ｒｅｓｏｕｒｃｅ  Ｃｏｎｔｒｏｌ）シグナリングによってＵＥ（Ｕｓｅｒ  Ｅｑｕｉｐｍｅｎｔ）に通知されてもよいが、ｓｌｏｔ構造の動的変化を実現するために、動的方式で例えばＧｒｏｕｐ  Ｃｏｍｍｏｎ  ＰＤＣＣＨによってＵＥに通知されてもよい。
【０００３】
１つのｓｌｏｔに含まれるアップリンクシンボル数が変化する可能性があるため、５Ｇ  ＮＲシステムでは、長いＮＲ−ＰＵＣＣＨと短いＮＲ−ＰＵＣＣＨとの２種類のＮＲ−ＰＵＣＣＨを定義している。ここで、長いＮＲ−ＰＵＣＣＨは、１つのｓｌｏｔで４〜１４個のシンボルを占用して伝送する。ＮＲシステムでは異なるヌメロロジーがサポートされ、異なるヌメロロジーは、少なくとも異なるサブキャリア間隔および異なるシンボル長に対応する。
【０００４】
しかし、５Ｇ  ＮＲシステムにおいて、ＰＵＣＣＨのマルチスロット伝送におけるスロット数を決定することは、解決が急がれる技術問題になっている。
【発明の概要】
【発明が解決しようとする課題】
【０００５】
上記の技術問題に鑑みて、本開示の実施例は、マルチスロット伝送方法および機器を提供することによって、ＰＵＣＣＨのマルチスロット伝送におけるスロット数を決定する問題を解決しようとする。
【課題を解決するための手段】
【０００６】
第１方面では、ネットワーク側機器に応用されるマルチスロット伝送方法において、スロット数セットから１つのスロット数の値を決定することと、前記スロット数の値をユーザ端末に設定することとを含み、前記スロット数の値は、前記ユーザ端末によるマルチスロットのＰＵＣＣＨおよび／またはＰＵＳＣＨ伝送に用いられる。
【０００７】
選択可能に、前記スロット数セットは、予め定義された第１スロット数セットであり、前記のスロット数セットから１つのスロット数の値を決定することは、前記第１スロット数セットから１つのスロット数の値を選択することを含む。
【０００８】
選択可能に、前記スロット数セットは、予め定義された第２スロット数セットであり、前記のスロット数セットから１つのスロット数の値を決定することは、前記ユーザ端末に設定した複数のスロット数の値を前記第２スロット数セットから決定することと、前記複数のスロット数の値から１つのスロット数の値を選択することとを含む。
【０００９】
選択可能に、前記方法において、ハイレイヤシグナリングによって前記ユーザ端末に前記複数のスロット数の値を設定することをさらに含む。
【００１０】
選択可能に、前記スロット数セットは、各ヌメロロジーに対し予め定義した第３スロット数セットであり、前記のスロット数セットから１つのスロット数の値を決定することは、ヌメロロジーに基づき、対応する第３スロット数セットを決定することと、前記対応する第３スロット数セットから１つのスロット数の値を選択することとを含む。
【００１１】
選択可能に、前記スロット数セットは、各ヌメロロジーに対し予め定義した第４スロット数セットであり、前記のスロット数セットから１つのスロット数の値を決定することは、ヌメロロジーに基づき、対応する第４スロット数セットを決定することと、前記ユーザ端末に設定した複数のスロット数の値を前記第４スロット数セットから決定することと、前記複数のスロット数の値から１つのスロット数の値を選択することとを含む。
【００１２】
選択可能に、前記方法において、ハイレイヤシグナリングによって前記ユーザ端末に前記複数のスロット数の値を設定することをさらに含む。
【００１３】
選択可能に、前記の前記スロット数の値をユーザ端末に設定することは、ハイレイヤシグナリングまたはダウンリンク制御情報ＤＣＩによってユーザ端末に前記スロット数の値を設定することを含む。
【００１４】
第２方面では、ユーザ端末に応用されるマルチスロット伝送方法において、スロット数セットから１つのスロット数の値を決定することと、前記スロット数の値に基づき、マルチスロットのＰＵＣＣＨおよび／またはＰＵＳＣＨ伝送を行うこととを含む。
【００１５】
選択可能に、前記スロット数セットは、予め定義された第１スロット数セットであり、前記のスロット数セットから１つのスロット数の値を決定することは、ネットワーク側機器から送信された設定情報に基づき、前記第１スロット数セットから１つのスロット数の値を選択することを含む。
【００１６】
選択可能に、前記スロット数セットは、予め定義された第２スロット数セットであり、前記のスロット数セットから１つのスロット数の値を決定することは、前記ネットワーク側機器から前記ユーザ端末に設定した複数のスロット数の値であって、前記第２スロット数セットのうちの値である前記複数のスロット数の値を受信することと、ネットワーク側機器から送信された設定情報に基づき、前記複数のスロット数の値から１つのスロット数の値を選択することとを含む。
【００１７】
選択可能に、前記方法において、前記ネットワーク側機器から前記ユーザ端末に設定した複数のスロット数の値をハイレイヤシグナリングによって受信することをさらに含む。
【００１８】
選択可能に、前記スロット数セットは、各ヌメロロジーに対し予め定義した第３スロット数セットであり、前記のスロット数セットから１つのスロット数の値を決定することは、ヌメロロジーに基づき、対応する第３スロット数セットを決定することと、ネットワーク側機器から送信された設定情報に基づき、前記対応する第３スロット数セットから１つのスロット数の値を選択することとを含む。
【００１９】
選択可能に、前記スロット数セットは、各ヌメロロジーに対し予め定義した第４スロット数セットであり、前記のスロット数セットから１つのスロット数の値を決定することは、ヌメロロジーに基づき、対応する第４スロット数セットを決定することと、前記ネットワーク側機器から前記ユーザ端末に設定した複数のスロット数の値であって、ヌメロロジーに基づいて決定した対応する第４スロット数セットのうちの値である前記複数のスロット数の値を受信することと、ネットワーク側機器から送信された設定情報に基づき、前記複数のスロット数の値から１つのスロット数の値を選択することとを含む。
【００２０】
選択可能に、前記方法において、前記ネットワーク側機器から前記ユーザ端末に設定した複数のスロット数の値をハイレイヤシグナリングによって受信することをさらに含む。
【００２１】
選択可能に、前記方法において、ネットワーク側機器から送信されて前記１つのスロット数の値を決定するための設定情報を、ハイレイヤシグナリングまたはダウンリンク制御情報ＤＣＩによって受信することをさらに含む。
【００２２】
第３方面では、スロット数セットから１つのスロット数の値を決定するための第１プロセッサと、前記スロット数の値をユーザ端末に設定するための第１トランシーバとを含むネットワーク側機器を提供し、前記スロット数の値は、前記ユーザ端末によるマルチスロットのＰＵＣＣＨおよび／またはＰＵＳＣＨ伝送に用いられる。
【００２３】
選択可能に、前記スロット数セットは、予め定義された第１スロット数セットであり、前記第１プロセッサは、さらに、前記第１スロット数セットから１つのスロット数の値を選択することに用いられる。
【００２４】
選択可能に、前記スロット数セットは、予め定義された第２スロット数セットであり、前記第１プロセッサは、さらに、前記ユーザ端末に設定した複数のスロット数の値を前記第２スロット数セットから決定することと、前記複数のスロット数の値から１つのスロット数の値を選択することとに用いられる。
【００２５】
選択可能に、前記第１プロセッサは、さらに、ハイレイヤシグナリングによって前記ユーザ端末に前記複数のスロット数の値を設定することに用いられる。
【００２６】
選択可能に、前記スロット数セットは、各ヌメロロジーに対し予め定義した第３スロット数セットであり、前記第１プロセッサは、さらに、ヌメロロジーに基づき、対応する第３スロット数セットを決定することと、前記対応する第３スロット数セットから１つのスロット数の値を選択することとに用いられる。
【００２７】
選択可能に、前記スロット数セットは、各ヌメロロジーに対し予め定義した第４スロット数セットであり、前記第１プロセッサは、さらに、ヌメロロジーに基づき、対応する第４スロット数セットを決定することと、前記ユーザ端末に設定した複数のスロット数の値を前記第４スロット数セットから決定することと、前記複数のスロット数の値から１つのスロット数の値を選択することとに用いられる。
【００２８】
選択可能に、前記第１プロセッサは、さらに、ハイレイヤシグナリングによって前記ユーザ端末に前記複数のスロット数の値を設定することに用いられる。
【００２９】
選択可能に、前記第１トランシーバは、さらに、ハイレイヤシグナリングまたはダウンリンク制御情報ＤＣＩによってユーザ端末に前記スロット数の値を設定することに用いられる。
【００３０】
第４方面では、スロット数セットから１つのスロット数の値を決定するための第２プロセッサと、前記スロット数の値に基づき、マルチスロットのＰＵＣＣＨおよび／またはＰＵＳＣＨ伝送を行うための第２トランシーバとを含むユーザ端末を提供する。
【００３１】
選択可能に、前記スロット数セットは、予め定義された第１スロット数セットであり、前記第２プロセッサは、さらに、ネットワーク側機器から送信された設定情報に基づき、前記第１スロット数セットから１つのスロット数の値を選択することに用いられる。
【００３２】
選択可能に、前記スロット数セットは、予め定義された第２スロット数セットであり、前記第２トランシーバは、さらに、前記ネットワーク側機器から前記ユーザ端末に設定した複数のスロット数の値であって、前記第２スロット数セットのうちの値である前記複数のスロット数の値を受信することに用いられ、前記第２プロセッサは、さらに、ネットワーク側機器から送信された設定情報に基づき、前記複数のスロット数の値から１つのスロット数の値を選択することに用いられる。
【００３３】
選択可能に、前記第２プロセッサは、さらに、前記ネットワーク側機器から前記ユーザ端末に設定した複数のスロット数の値をハイレイヤシグナリングによって受信することに用いられる。
【００３４】
選択可能に、前記スロット数セットは、各ヌメロロジーに対し予め定義した第３スロット数セットであり、前記第２プロセッサは、さらに、ヌメロロジーに基づき、対応する第３スロット数セットを決定することと、ネットワーク側機器から送信された設定情報に基づき、前記対応する第３スロット数セットから１つのスロット数の値を選択することとに用いられる。
【００３５】
選択可能に、前記スロット数セットは、各ヌメロロジーに対し予め定義した第４スロット数セットであり、前記第２プロセッサは、さらに、ヌメロロジーに基づき、対応する第４スロット数セットを決定することに用いられ、前記第２トランシーバは、さらに、前記ネットワーク側機器から前記ユーザ端末に設定した複数のスロット数の値であって、ヌメロロジーに基づいて決定した対応する第４スロット数セットのうちの値である前記複数のスロット数の値を受信することに用いられ、前記第２プロセッサは、さらに、ネットワーク側機器から送信された設定情報に基づき、前記複数のスロット数の値から１つのスロット数の値を選択することに用いられる。
【００３６】
選択可能に、前記第２トランシーバは、さらに、前記ネットワーク側機器から前記ユーザ端末に設定した複数のスロット数の値をハイレイヤシグナリングによって受信することに用いられる。
【００３７】
選択可能に、前記第２プロセッサは、さらに、ネットワーク側機器から送信されて前記１つのスロット数の値を決定するための設定情報を、ハイレイヤシグナリングまたはダウンリンク制御情報ＤＣＩによって受信することに用いられる。
【００３８】
第５方面では、メモリと、プロセッサと、トランシーバと、メモリに格納されてプロセッサで実行可能なコンピュータプログラムを含むネットワーク側機器をさらに提供する。前記プロセッサが前記プログラムを実行すると、第１方面に記載のマルチスロット伝送方法のステップが実現される。
【００３９】
第６方面では、メモリと、プロセッサと、トランシーバと、メモリに格納されてプロセッサで実行可能なコンピュータプログラムを含むユーザ端末をさらに提供する。前記プロセッサが前記プログラムを実行すると、第２方面に記載のマルチスロット伝送方法のステップが実現される。
【００４０】
第７方面において、コンピュータプログラムが格納されているコンピュータ読み取り可能な記憶媒体をさらに提供する。当該プログラムがプロセッサによって実行されると、第１方面に記載のマルチスロット伝送方法のステップが実現され、または、第２方面に記載のマルチスロット伝送方法のステップが実現される。
【発明の効果】
【００４１】
このように、ＵＥは、予め設定されたスロット数セットからスロット数の値をネットワーク側の設定に基づいて決定することができ、マルチスロットのＰＵＣＣＨおよび／またはＰＵＳＣＨ伝送を行うことができるため、ＰＵＣＣＨおよび／またはＰＵＳＣＨ伝送の性能とアップリンクカバレッジを向上させる。
【図面の簡単な説明】
【００４２】
本開示の実施例の技術手段をより明確に説明するために、以下、本開示の実施例の記載に必要とされる図面を簡単に紹介する。明らかに、以下の記載に関する図面は、単に本開示の一部の実施例である。当業者にとって、創造性のある作業をしないという前提で、これらの図面から他の図面を得ることもできる。
【００４３】
【図１】本開示の実施例の無線通信システムのアーキテクチャ図である。
【図２】本開示の実施例のマルチスロット伝送方法のフローチャートその１である。
【図３】本開示の実施例のマルチスロット伝送方法のフローチャートその２である。
【図４】本開示の実施例のマルチスロット伝送方法のフローチャートその３である。
【図５】本開示の実施例のマルチスロット伝送方法のフローチャートその４である。
【図６】本開示の実施例のマルチスロット伝送方法のフローチャートその５である。
【図７】本開示の実施例のマルチスロット伝送方法のフローチャートその６である。
【図８】本開示の実施例のマルチスロット伝送方法のフローチャートその７である。
【図９】本開示の実施例のマルチスロット伝送方法のフローチャートその８である。
【図１０】本開示の実施例のマルチスロット伝送方法のフローチャートその９である。
【図１１】本開示の実施例のマルチスロット伝送方法のフローチャートその１０である。
【図１２】本開示の実施例のネットワーク側機器の構造図その１である。
【図１３】本開示の実施例のユーザ端末の構造図その１である。
【図１４】本開示の実施例のネットワーク側機器の構造図その２である。
【図１５】本開示の実施例のユーザ端末の構造図その２である。
【発明を実施するための形態】
【００４４】
本開示の実施例の技術手段をより明確に説明するために、以下、本開示の実施例に必要とされる図面を簡単に紹介する。明らかに、以下の記載に関する図面は、単に本開示の一部の実施例である。当業者にとって、創造性のある作業をしないという前提で、これらの図面から他の図面を得ることもできる。
【００４５】
本明細書において、「および／または」との用語は、関連対象の関連関係を表現するものに過ぎず、存在可能な３種類の関係を示す。例えば、Ａおよび／またはＢの場合、Ａのみ、ＡとＢの両方、Ｂのみの３種類の場合を示す。
【００４６】
本開示の実施例の明細書および特許請求の範囲における「第１」、「第２」などの用語は、異なる対象を区別するためのものであり、対象の特定な順番を表現するためのものではない。たとえば、第１プロセッサ、第２プロセッサは、異なるプロセッサを区別することに用いられるものであり、プロセッサの特定な順番を表現することに用いられるものではない。
【００４７】
本開示の実施例において、「例示的」または「たとえば」などの用語は、例、例示または説明とすることを示す。本開示の実施例で「例示的」または「たとえば」によって記載されるあらゆる実施例や設計案は、ほかの実施例や設計案より好適だったり利点を有したりするというふうに解釈されるべきではない。適切に言えば、「例示的」または「たとえば」などの用語を使用することは、具体的な方式で関連概念を示すことに目的とする。
【００４８】
以下、図面を参照して本開示の実施例を紹介する。本開示の実施例におけるダウンリンク制御チャネル送信方法および機器、ダウンリンク制御チャネル受信方法および機器は、無線通信システムに応用可能である。当該無線通信システムは、５Ｇ移動通信技術が用いられるシステム（以下、５Ｇシステムと略称する）である。図１は、本開示の実施例における無線通信システムのアーキテクチャ図である。図１に示すように、当該無線通信システムは、ネットワーク側機器１０とユーザ端末ＵＥ（Ｕｓｅｒ  Ｅｑｕｉｐｍｅｎｔ）を含む。ユーザ端末は、たとえばＵＥ１１と記し、ネットワーク側機器１０とは通信可能である。実際の応用において、上記各機器の間の接続は、無線接続であってもよい。各機器の間の接続関係を容易かつ直観的に示すために、図１では実線で示している。
【００４９】
なお、上記通信システムは、複数のＵＥを含んでもよく、ネットワーク側機器が複数のＵＥとは通信可能である（シグナリングまたはデータを伝送する）。
【００５０】
本開示の実施例におけるネットワーク側機器は、基地局である。当該ネットワーク側機器は、一般的に用いられる基地局であってもよく、ｅＮＢ（ｅｖｏｌｖｅｄ  ｎｏｄｅ  ｂａｓｅ  ｓｔａｔｉｏｎ）であってもよく、５Ｇシステムのネットワーク側機器（たとえばｇＮＢ（ｎｅｘｔ  ｇｅｎｅｒａｔｉｏｎ  ｎｏｄｅ  ｂａｓｅ  ｓｔａｔｉｏｎ））またはＴＲＰ（ｔｒａｎｓｍｉｓｓｉｏｎ  ａｎｄ  ｒｅｃｅｐｔｉｏｎ  ｐｏｉｎｔ）などの機器であってもよい。
【００５１】
本開示の実施例におけるユーザ端末は、携帯電話、タブレットパソコン、ノートパソコン、ＵＭＰＣ（Ｕｌｔｒａ−Ｍｏｂｉｌｅ  Ｐｅｒｓｏｎａｌ  Ｃｏｍｐｕｔｅｒ）、ネットブックまたはＰＤＡ（Ｐｅｒｓｏｎａｌ  Ｄｉｇｉｔａｌ  Ａｓｓｉｓｔａｎｔ）などである。
【００５２】
図２には、マルチスロット伝送方法のフローが示されている。当該方法は、実行エンティティがネットワーク側機器であり、具体的に以下のステップを含む。
【００５３】
ステップ２０１において、スロット数セットから１つのスロット数の値を決定する。
【００５４】
本開示の実施例において、選択可能に、当該スロット数セットは、ヌメロロジーを区別せずに予め定義したスロット数セットであってもよく、ヌメロロジー毎に予め定義したスロット数セットであってもよい。
【００５５】
なお、本開示の実施例において、スロット数セットのうちのスロット数の値の数は、具体的に限定しない。
【００５６】
ステップ２０２において、スロット数の値をユーザ端末に設定する。当該スロット数の値は、ユーザ端末によるマルチスロットのＰＵＣＣＨおよび／またはＰＵＳＣＨ伝送に用いられる。
【００５７】
本開示の実施例において、選択可能に、スロット数の値をハイレイヤシグナリングまたはダウンリンク制御情報（ＤＣＩ）によってユーザ端末に設定するが、もちろん、これに限られない。
【００５８】
このように、ＵＥは、予め設定されたスロット数セットからスロット数の値をネットワーク側の設定に基づいて決定することができ、マルチスロットのＰＵＣＣＨおよび／またはＰＵＳＣＨ伝送を行うことができるため、ＰＵＣＣＨおよび／またはＰＵＳＣＨ伝送の性能とアップリンクカバレッジを向上させる。
【００５９】
図３には、マルチスロット伝送方法のフローが示されている。当該方法は、実行エンティティがネットワーク側機器であり、具体的に以下のステップを含む。
【００６０】
ステップ３０１において、第１スロット数セットから１つのスロット数の値を選択する。
【００６１】
本開示の実施例において、第１スロット数セットは、ヌメロロジーを区別せずに予め定義したスロット数セットである。
【００６２】
ステップ３０２において、スロット数の値をユーザ端末に設定する。当該スロット数の値は、前記ユーザ端末によるマルチスロットのＰＵＣＣＨおよび／またはＰＵＳＣＨ伝送に用いられる。
【００６３】
本開示の実施例において、選択可能に、スロット数の値をハイレイヤシグナリングまたはダウンリンク制御情報（ＤＣＩ）によってユーザ端末に設定するが、もちろん、これに限られない。
【００６４】
このように、ＵＥは、予め設定されたスロット数セットからスロット数の値をネットワーク側の設定に基づいて決定することができ、マルチスロットのＰＵＣＣＨおよび／またはＰＵＳＣＨ伝送を行うことができるため、ＰＵＣＣＨおよび／またはＰＵＳＣＨ伝送の性能とアップリンクカバレッジを向上させる。
【００６５】
図４には、マルチスロット伝送方法のフローが示されている。当該方法は、実行エンティティがネットワーク側機器であり、具体的に以下のステップを含む。
【００６６】
ステップ４０１において、ユーザ端末に設定した複数のスロット数の値を第２スロット数セットから決定する。
【００６７】
本開示の実施例において、第２スロット数セットは、予め定義したヌメロロジーを区別しないスロット数セットである。
【００６８】
ステップ４０２において、複数のスロット数の値から１つのスロット数の値を選択する。
【００６９】
ステップ４０３において、スロット数の値をユーザ端末に設定する。前記スロット数の値は、前記ユーザ端末によるマルチスロットのＰＵＣＣＨおよび／またはＰＵＳＣＨ伝送に用いられる。
【００７０】
本開示の実施例において、選択可能に、スロット数の値をハイレイヤシグナリングまたはダウンリンク制御情報（ＤＣＩ）によってユーザ端末に設定するが、もちろん、これに限られない。
【００７１】
本開示の実施例において、選択可能に、ハイレイヤシグナリングによってユーザ端末に複数のスロット数の値を設定する。
【００７２】
このように、ＵＥは、予め設定されたスロット数セットからスロット数の値をネットワーク側の設定に基づいて決定することができ、マルチスロットのＰＵＣＣＨおよび／またはＰＵＳＣＨ伝送を行うことができるため、ＰＵＣＣＨおよび／またはＰＵＳＣＨ伝送の性能とアップリンクカバレッジを向上させる。
【００７３】
図５には、マルチスロット伝送方法のフローが示されている。当該方法は、実行エンティティがネットワーク側機器であり、具体的に以下のステップを含む。
【００７４】
ステップ５０１において、ヌメロロジーに基づき、対応する第３スロット数セットを決定する。
【００７５】
本開示の実施例において、第３スロット数セットは、ヌメロロジー毎に予め定義したスロット数セットである。
【００７６】
ステップ５０２において、対応する第３スロット数セットから１つのスロット数の値を選択する。
【００７７】
ステップ５０３において、スロット数の値をユーザ端末に設定する。スロット数の値は、前記ユーザ端末によるマルチスロットのＰＵＣＣＨおよび／またはＰＵＳＣＨ伝送に用いられる。
【００７８】
本開示の実施例において、選択可能に、スロット数の値をハイレイヤシグナリングまたはダウンリンク制御情報（ＤＣＩ）によってユーザ端末に設定するが、もちろん、これに限られない。
【００７９】
このように、ＵＥは、予め設定されたスロット数セットからスロット数の値をネットワーク側の設定に基づいて決定することができ、マルチスロットのＰＵＣＣＨおよび／またはＰＵＳＣＨ伝送を行うことができるため、ＰＵＣＣＨおよび／またはＰＵＳＣＨ伝送の性能とアップリンクカバレッジを向上させる。
【００８０】
図６には、マルチスロット伝送方法のフローが示されている。当該方法は、実行エンティティがネットワーク側機器であり、具体的に以下のステップを含む。
【００８１】
ステップ６０１において、ヌメロロジーに基づき、対応する第４スロット数セットを決定する。
【００８２】
本開示の実施例において、第４スロット数セットは、ヌメロロジー毎に予め定義したスロット数セットである。
【００８３】
ステップ６０２において、ユーザ端末に設定した複数のスロット数の値を第４スロット数セットから決定する。
【００８４】
ステップ６０３において、複数のスロット数の値から１つのスロット数の値を選択する。
【００８５】
ステップ６０４において、スロット数の値をユーザ端末に設定する。前記スロット数の値は、前記ユーザ端末によるマルチスロットのＰＵＣＣＨおよび／またはＰＵＳＣＨ伝送に用いられる。
【００８６】
本開示の実施例において、選択可能に、ハイレイヤシグナリングによって前記ユーザ端末に前記複数のスロット数の値を設定する。
【００８７】
本開示の実施例において、選択可能に、スロット数の値をハイレイヤシグナリングまたはダウンリンク制御情報（ＤＣＩ）によってユーザ端末に設定するが、もちろん、これに限られない。
【００８８】
このように、ＵＥは、予め設定されたスロット数セットからスロット数の値をネットワーク側の設定に基づいて決定することができ、マルチスロットのＰＵＣＣＨおよび／またはＰＵＳＣＨ伝送を行うことができるため、ＰＵＣＣＨおよび／またはＰＵＳＣＨ伝送の性能とアップリンクカバレッジを向上させる。
【００８９】
図７には、マルチスロット伝送方法のフローが示されている。当該方法は、実行エンティティがＵＥであり、具体的に以下のステップを含む。
【００９０】
ステップ７０１において、スロット数セットから１つのスロット数の値を決定する。
【００９１】
本開示の実施例において、選択可能に、当該スロット数セットは、ヌメロロジーを区別せずに予め定義したスロット数セットであってもよく、ヌメロロジー毎に予め定義したスロット数セットであってもよい。
【００９２】
本開示の実施例において、選択可能に、ネットワーク側機器から送信されて１つのスロット数の値を決定するための設定情報を、ハイレイヤシグナリングまたはダウンリンク制御情報ＤＣＩによって受信する。
【００９３】
ステップ７０２において、スロット数の値に基づき、マルチスロットのＰＵＣＣＨおよび／またはＰＵＳＣＨ伝送を行う。
【００９４】
このように、ＵＥは、予め設定されたスロット数セットからスロット数の値をネットワーク側の設定に基づいて決定することができ、マルチスロットのＰＵＣＣＨおよび／またはＰＵＳＣＨ伝送を行うことができるため、ＰＵＣＣＨおよび／またはＰＵＳＣＨ伝送の性能とアップリンクカバレッジを向上させる。
【００９５】
図８には、マルチスロット伝送方法のフローが示されている。当該方法は、実行エンティティがＵＥであり、具体的に以下のステップを含む。
【００９６】
ステップ８０１において、ネットワーク側機器から送信された設定情報に基づき、第１スロット数セットから１つのスロット数の値を選択する。
【００９７】
本開示の実施例において、第１スロット数セットは、予め定義されたスロット数セットである。
【００９８】
ステップ８０２において、スロット数の値に基づき、マルチスロットのＰＵＣＣＨおよび／またはＰＵＳＣＨ伝送を行う。
【００９９】
本開示の実施例において、選択可能に、ネットワーク側機器から送信されて１つのスロット数の値を決定するための設定情報を、ハイレイヤシグナリングまたはダウンリンク制御情報ＤＣＩによって受信する。
【０１００】
このように、ＵＥは、予め設定されたスロット数セットからスロット数の値をネットワーク側の設定に基づいて決定することができ、マルチスロットのＰＵＣＣＨおよび／またはＰＵＳＣＨ伝送を行うことができるため、ＰＵＣＣＨおよび／またはＰＵＳＣＨ伝送の性能とアップリンクカバレッジを向上させる。
【０１０１】
図９には、マルチスロット伝送方法のフローが示されている。当該方法は、実行エンティティがＵＥであり、具体的に以下のステップを含む。
【０１０２】
ステップ９０１において、ネットワーク側機器からユーザ端末に設定した複数のスロット数の値を受信し、複数のスロット数の値が第２スロット数セットのうちの値である。
【０１０３】
本開示の実施例において、第２スロット数セットは、予め定義されたスロット数セットである。
【０１０４】
本開示の実施例において、選択可能に、前記ネットワーク側機器から前記ユーザ端末に設定した複数のスロット数の値をハイレイヤシグナリングによって受信する。
【０１０５】
ステップ９０２において、ネットワーク側機器から送信された設定情報に基づき、複数のスロット数の値から１つのスロット数の値を選択する。
【０１０６】
ステップ９０３において、スロット数の値に基づき、マルチスロットのＰＵＣＣＨおよび／またはＰＵＳＣＨ伝送を行う。
【０１０７】
本開示の実施例において、選択可能に、ネットワーク側機器から送信されて１つのスロット数の値を決定するための設定情報を、ハイレイヤシグナリングまたはダウンリンク制御情報ＤＣＩによって受信する。
【０１０８】
このように、ＵＥは、予め設定されたスロット数セットからスロット数の値をネットワーク側の設定に基づいて決定することができ、マルチスロットのＰＵＣＣＨおよび／またはＰＵＳＣＨ伝送を行うことができるため、ＰＵＣＣＨおよび／またはＰＵＳＣＨ伝送の性能とアップリンクカバレッジを向上させる。
【０１０９】
図１０には、マルチスロット伝送方法のフローが示されている。当該方法は、実行エンティティがＵＥであり、具体的に以下のステップを含む。
【０１１０】
ステップ１００１において、ヌメロロジーに基づき、対応する第３スロット数セットを決定する。
【０１１１】
本開示の実施例において、第３スロット数セットは、ヌメロロジー毎に予め定義したスロット数セットである。
【０１１２】
ステップ１００２において、ネットワーク側機器から送信された設定情報に基づき、対応する第３スロット数セットから１つのスロット数の値を選択する。
【０１１３】
ステップ１００３において、スロット数の値に基づき、マルチスロットのＰＵＣＣＨおよび／またはＰＵＳＣＨ伝送を行う。
【０１１４】
本開示の実施例において、選択可能に、ネットワーク側機器から送信されて１つのスロット数の値を決定するための設定情報を、ハイレイヤシグナリングまたはダウンリンク制御情報ＤＣＩによって受信する。
【０１１５】
このように、ＵＥは、予め設定されたスロット数セットからスロット数の値をネットワーク側の設定に基づいて決定することができ、マルチスロットのＰＵＣＣＨおよび／またはＰＵＳＣＨ伝送を行うことができるため、ＰＵＣＣＨおよび／またはＰＵＳＣＨ伝送の性能とアップリンクカバレッジを向上させる。
【０１１６】
図１１には、マルチスロット伝送方法のフローが示されている。当該方法は、実行エンティティがＵＥであり、具体的に以下のステップを含む。
【０１１７】
ステップ１１０１において、ヌメロロジーに基づき、対応する第４スロット数セットを決定する。
【０１１８】
本開示の実施例において、第４スロット数セットは、ヌメロロジー毎に予め定義したスロット数セットである。
【０１１９】
ステップ１１０２において、ネットワーク側機器からユーザ端末に設定した複数のスロット数の値を受信し、複数のスロット数の値は、ヌメロロジーに基づいて決定した対応する第４スロット数セットのうちの値である。
【０１２０】
本開示の実施例において、選択可能に、ネットワーク側機器からユーザ端末に設定した複数のスロット数の値をハイレイヤシグナリングによって受信する。
【０１２１】
ステップ１１０３において、ネットワーク側機器から送信された設定情報に基づき、複数のスロット数の値から１つのスロット数の値を選択する。
【０１２２】
ステップ１１０４において、スロット数の値に基づき、マルチスロットのＰＵＣＣＨおよび／またはＰＵＳＣＨ伝送を行う。
【０１２３】
本開示の実施例において、選択可能に、ネットワーク側機器から送信されて１つのスロット数の値を決定するための設定情報を、ハイレイヤシグナリングまたはダウンリンク制御情報ＤＣＩによって受信する。
【０１２４】
このように、ＵＥは、予め設定されたスロット数セットからスロット数の値をネットワーク側の設定に基づいて決定することができ、マルチスロットのＰＵＣＣＨおよび／またはＰＵＳＣＨ伝送を行うことができるため、ＰＵＣＣＨおよび／またはＰＵＳＣＨ伝送の性能とアップリンクカバレッジを向上させる。
【０１２５】
例１
（ヌメロロジーを区別せずに）予めＡ１個のｓｌｏｔ数の値を定義し、Ａ１個のｓｌｏｔ数の値から１つのｓｌｏｔ数の値を選択してＵＥに通知する。
【０１２６】
たとえば、プロトコルでは、予め［１〜３２］のレングスＰで逓増する複数のスロット数の値を定義する。
【０１２７】
ここで、Ｐは、自然数であり、または１であり、または２の倍数であり、または２の冪乗などである。
【０１２８】
たとえば、プロトコルでは、予め［１〜３２］のレングス１で逓増する３２個のスロット数の値を定義し、または、予め［１〜３２］のレングス２で逓増する１６個のスロット数の値を定義し、または、予め［１〜３２］のレングス４で逓増する８個のスロット数の値を定義し、このように類推し、または、予め［１，２，４，８，１６，３２］を定義する。選択した１つのｓｌｏｔ数の値をＵＥに通知する。
【０１２９】
例２
（ヌメロロジーを区別せずに）予めＡ２個のｓｌｏｔ数の値を定義し、そのうちからＢ１個のｓｌｏｔ数の値を選択し、Ｂ１個のｓｌｏｔ数の値をハイレイヤシグナリングによって予めＵＥに設定し、ＵＥに設定したＢ１個のｓｌｏｔ数の値から１つのｓｌｏｔ数の値を選択してＵＥに通知する。
【０１３０】
たとえば、プロトコルでは、予め［１〜３２］のレングスＰで逓増する複数のスロット数の値を定義する。
【０１３１】
ここで、Ｐは、自然数であり、または１であり、または２の倍数であり、または２の冪乗などである。
【０１３２】
たとえば、プロトコルでは、予め［１〜３２］のレングス１で逓増する３２個のスロット数の値を定義し、または、予め［１〜３２］のレングス２で逓増する１６個のスロット数の値を定義し、または、予め［１〜３２］のレングス４で逓増する８個のスロット数の値を定義し、このように類推し、または、予め［１，２，４，８，１６，３２］を定義する。
【０１３３】
上記の予め定義したスロット数セットから選択したＢ１（たとえば３または４である）個のｓｌｏｔ数の値をハイレイヤシグナリングによってＵＥに通知し、ＤＣＩでの （たとえば２ビット）の指示フィールドによってＵＥに通知する。当該指示フィールドは、ハイレイヤシグナリングによって予めＵＥに設定したＢ１個のｓｌｏｔ数の値のうちの１つのｓｌｏｔ数の値を指示する。
【０１３４】
例３
ヌメロロジーの種類毎に予めＡ３個のｓｌｏｔ数の値を定義し、異なるヌメロロジーに対応するＡ３個のｓｌｏｔ数の値は、同じであってもよく異なってもよい。ヌメロロジーに基づき、対応するｓｌｏｔ数セットを決定し、決定したｓｌｏｔ数セットから１つのｓｌｏｔ数の値を選択してＵＥに通知する。
【０１３５】
たとえば、プロトコルでは、表１に示すような、各ヌメロロジーに対するｓｌｏｔ数セットを予め定義し、μが異なるヌメロロジーの番号を示し、２列目が異なるヌメロロジーに対応するサブキャリア間隔Δfであると、ＵＥと基地局は、用いられるヌメロロジーに基づき、対応するｓｌｏｔ数セットを予め決定でき、そのうちの１つのｓｌｏｔ数の値をハイレイヤシグナリングまたはＤＣＩでの指示フィールドによってＵＥに指示する。
【０１３６】
【表１】
2021503780.tif 000020
【０１３７】
例４
ヌメロロジーの種類毎に予めＡ４個のｓｌｏｔ数の値を定義し、異なるヌメロロジーに対応するＡ４個のｓｌｏｔ数の値は、同じであってもよく異なってもよい。ヌメロロジーに基づき、対応するｓｌｏｔ数のフルセットを決定し、決定したｓｌｏｔ数のフルセットからＢ２個のｓｌｏｔ数の値を選択してハイレイヤシグナリングによってＵＥに設定し、Ｂ２個のｓｌｏｔ数の値から１つのｓｌｏｔ数の値を選択してＵＥに通知する。
【０１３８】
たとえば、プロトコルでは、表２に示すような、各ヌメロロジーに対するｓｌｏｔ数セットを予め定義し、μが異なるヌメロロジーの番号を示し、２列目が異なるヌメロロジーに対応するサブキャリア間隔Δfであり、Ｐが自然数または１または２の倍数または２の冪乗などであると、ＵＥと基地局は、用いられるヌメロロジーに基づき、対応するｓｌｏｔ数のフルセットを予め決定でき、基地局は、そのうちからＢ２（たとえばＢ２が３または４である）個のｓｌｏｔ数の値を選択してハイレイヤシグナリングによってＵＥに設定し、ＵＥに通知したｓｌｏｔ数セットから１つのｓｌｏｔ数の値を選択し、ＤＣＩでの指示フィールドによってＵＥに指示する。
【０１３９】
【表２】
2021503780.tif 000021
【０１４０】
本開示の実施例において、ネットワーク側機器をさらに提供する。ネットワーク側機器は、問題を解決しようとする原理が本開示の実施例におけるマルチスロット伝送方法に似るため、当該ネットワーク側機器の実施について、方法の実施を参照し、重複なところを繰り返して記載しない。
【０１４１】
図１２には、ネットワーク側機器１２００の構造が示されている。当該ネットワーク側機器１２００は、スロット数セットから１つのスロット数の値を決定するための第１プロセッサ１２０２と、前記スロット数の値をユーザ端末に設定するための第１トランシーバ１２０１とを含み、前記スロット数の値は、前記ユーザ端末によるマルチスロットのＰＵＣＣＨおよび／またはＰＵＳＣＨ伝送に用いられる。
【０１４２】
本開示の実施例において、選択可能に、前記スロット数セットは、予め定義された第１スロット数セットであり、前記第１プロセッサ１２０２は、さらに、前記第１スロット数セットから１つのスロット数の値を選択することに用いられる。
【０１４３】
本開示の実施例において、選択可能に、前記スロット数セットは、予め定義された第２スロット数セットであり、前記第１プロセッサ１２０２は、さらに、前記ユーザ端末に設定した複数のスロット数の値を前記第２スロット数セットから決定することと、前記複数のスロット数の値から１つのスロット数の値を選択することとに用いられる。
【０１４４】
本開示の実施例において、選択可能に、前記第１プロセッサ１２０２は、さらに、ハイレイヤシグナリングによって前記ユーザ端末に前記複数のスロット数の値を設定することに用いられる。
【０１４５】
本開示の実施例において、選択可能に、前記スロット数セットは、各ヌメロロジーに対し予め定義した第３スロット数セットであり、前記第１プロセッサ１２０２は、さらに、ヌメロロジーに基づき、対応する第３スロット数セットを決定することと、前記対応する第３スロット数セットから１つのスロット数の値を選択することとに用いられる。
【０１４６】
本開示の実施例において、選択可能に、前記スロット数セットは、各ヌメロロジーに対し予め定義した第４スロット数セットであり、前記第１プロセッサ１２０２は、さらに、ヌメロロジーに基づき、対応する第４スロット数セットを決定することと、前記ユーザ端末に設定した複数のスロット数の値を前記第４スロット数セットから決定することと、前記複数のスロット数の値から１つのスロット数の値を選択することとに用いられる。
【０１４７】
本開示の実施例において、選択可能に、前記第１プロセッサ１２０２は、さらに、ハイレイヤシグナリングによって前記ユーザ端末に前記複数のスロット数の値を設定することに用いられる。
【０１４８】
本開示の実施例において、選択可能に、前記第１トランシーバ１２０１は、さらに、ハイレイヤシグナリングまたはダウンリンク制御情報ＤＣＩによってユーザ端末に前記スロット数の値を設定することに用いられる。
【０１４９】
本開示の実施例におけるネットワーク側機器は、上記方法の実施例を実行可能であり、その実現原理と技術効果が類似するため、本実施例で繰り返して記載しない。
【０１５０】
本開示の実施例において、ユーザ端末をさらに提供する。ユーザ端末は、問題を解決しようとする原理が本開示の実施例におけるマルチスロット伝送方法に似るため、当該
ユーザ端末の実施について、方法の実施を参照し、重複なところを繰り返して記載しない。
【０１５１】
図１３には、ユーザ端末１３００の構造が示されている。当該ユーザ端末１３００は、スロット数セットから１つのスロット数の値を決定するための第２プロセッサ１３０１と、前記スロット数の値に基づき、マルチスロットのＰＵＣＣＨおよび／またはＰＵＳＣＨ伝送を行うための第２トランシーバ１３０２とを含む。
【０１５２】
本開示の実施例において、選択可能に、前記スロット数セットは、予め定義された第１スロット数セットであり、前記第２プロセッサ１３０１は、さらに、ネットワーク側機器から送信された設定情報に基づき、前記第１スロット数セットから１つのスロット数の値を選択することに用いられる。
【０１５３】
本開示の実施例において、選択可能に、前記スロット数セットは、予め定義された第２スロット数セットであり、前記第２トランシーバ１３０２は、さらに、前記ネットワーク側機器から前記ユーザ端末に設定した複数のスロット数の値であって、前記第２スロット数セットのうちの値である前記複数のスロット数の値を受信することに用いられ、前記第２プロセッサ１３０１は、さらに、ネットワーク側機器から送信された設定情報に基づき、前記複数のスロット数の値から１つのスロット数の値を選択することに用いられる。
【０１５４】
本開示の実施例において、選択可能に、前記第２プロセッサ１３０１は、さらに、前記ネットワーク側機器から前記ユーザ端末に設定した複数のスロット数の値をハイレイヤシグナリングによって受信することに用いられる。
【０１５５】
本開示の実施例において、選択可能に、前記スロット数セットは、各ヌメロロジーに対し予め定義した第３スロット数セットであり、前記第２プロセッサ１３０１は、さらに、ヌメロロジーに基づき、対応する第３スロット数セットを決定することと、ネットワーク側機器から送信された設定情報に基づき、前記対応する第３スロット数セットから１つのスロット数の値を選択することとに用いられる。
【０１５６】
本開示の実施例において、選択可能に、前記スロット数セットは、各ヌメロロジーに対し予め定義した第４スロット数セットであり、前記第２プロセッサ１３０１は、さらに、ヌメロロジーに基づき、対応する第４スロット数セットを決定することに用いられ、前記第２トランシーバ１３０２は、さらに、前記ネットワーク側機器から前記ユーザ端末に設定した複数のスロット数の値であって、ヌメロロジーに基づいて決定した対応する第４スロット数セットのうちの値である前記複数のスロット数の値を受信することに用いられ、前記第２プロセッサ１３０１は、さらに、ネットワーク側機器から送信された設定情報に基づき、前記複数のスロット数の値から１つのスロット数の値を選択することに用いられる。
【０１５７】
本開示の実施例において、選択可能に、前記第２プロセッサ１３０１は、さらに、前記ネットワーク側機器から前記ユーザ端末に設定した複数のスロット数の値をハイレイヤシグナリングによって受信することに用いられる。
【０１５８】
本開示の実施例において、選択可能に、前記第２トランシーバ１３０２は、さらに、ネットワーク側機器から送信されて前記１つのスロット数の値を決定するための設定情報を、ハイレイヤシグナリングまたはダウンリンク制御情報ＤＣＩによって受信することに用いられる。
【０１５９】
本開示の実施例におけるユーザ端末は、上記方法の実施例を実行可能であり、その実現原理と技術効果が類似するため、本実施例で繰り返して記載しない。
【０１６０】
本開示の実施例は、ネットワーク側機器を提供する。図１４には、本開示の実施例におけるネットワーク側機器の構造図が示されている。図１４に示すように、ネットワーク側機器１４００は、プロセッサ１４０１と、トランシーバ１４０２と、メモリ１４０３と、バスインタフェースを含む。
【０１６１】
ここで、プロセッサ１４０１は、バスアーキテクチャと通常の処理を管理する。メモリ１４０３は、プロセッサ１４０１による操作実行に使用されるデータを記憶できる。
【０１６２】
本開示の実施例において、ネットワーク側機器１４００は、メモリ１４０３に格納されてプロセッサ１４０１で実行可能なコンピュータプログラムをさらに含む。コンピュータプログラムがプロセッサ１４０１によって実行されると、スロット数セットから１つのスロット数の値を決定するステップと、前記スロット数の値をユーザ端末に設定するステップとが実現され、前記スロット数の値は、前記ユーザ端末によるマルチスロットのＰＵＣＣＨおよび／またはＰＵＳＣＨ伝送に用いられる。
【０１６３】
図面において、バスアーキテクチャは、任意数の相互接続するバスとブリッジを含み、具体的に、プロセッサ１４０１をはじめとする１つ又は複数のプロセッサとメモリ１４０３をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバ１４０２は、複数の部品であってもよく、即ち送信機と受信機を含み、伝送媒体でほかの各種類の装置と通信するユニットとして提供される。
【０１６４】
ここで、プロセッサ１４０１は、バスアーキテクチャと通常の処理を管理する。メモリ１４０３は、プロセッサ１４０１による操作実行に使用されるデータを記憶できる。
【０１６５】
図１５に示すように、図１５に示すユーザ端末１５００は、少なくとも１つのプロセッサ１５０１と、メモリ１５０２と、少なくとも１つのネットワークインタフェース１５０４と、ユーザインタフェース１５０３を含む。ユーザ端末１５００における各構成部品は、バスシステム１５０５を介して結合される。バスシステム１５０５は、これらの構成部品の間の接続と通信に用いられることが理解できる。バスシステム１５０５は、データバスのほかに、電源バス、制御バスおよび状態信号バスをさらに含む。ただし、明確に説明するために、図１５において、各種類のバスをすべてバスシステム１５０５として標記している。
【０１６６】
ここで、ユーザインタフェース１５０３は、ディスプレイ、キーボードまたはポインティングデバイス（たとえばマウス、トラックボール（ｔｒａｃｋ  ｂａｌｌ））、タッチパネルまたはタッチスクリーンなどを含む。
【０１６７】
本開示の実施例におけるメモリ１５０２は、揮発性メモリまたは非揮発性メモリであり、または、揮発性メモリと非揮発性メモリの両方を含む。非揮発性メモリは、ＲＯＭ（Ｒｅａｄ−Ｏｎｌｙ  Ｍｅｍｏｒｙ）、ＰＲＯＭ（Ｐｒｏｇｒａｍｍａｂｌｅ  ＲＯＭ）、ＥＰＲＯＭ（Ｅｒａｓａｂｌｅ  ＰＲＯＭ）、ＥＥＰＲＯＭ（Ｅｌｅｃｔｒｉｃａｌｌｙ  ＥＰ  ＲＯＭ）またはフラッシュメモリである。揮発性メモリは、ＲＡＭ（Ｒａｎｄｏｍ  Ａｃｃｅｓｓ  Ｍｅｍｏｒｙ）であり、外部のキャッシュに用いられる。多くの形態のＲＡＭが使用可能であるが、その例として、例えばＳＲＡＭ（Ｓｔａｔｉｃ  ＲＡＭ）、ＤＲＡＭ（Ｄｙｎａｍｉｃ  ＲＡＭ）、ＳＤＲＡＭ（Ｓｙｎｃｈｒｏｎｏｕｓ  ＤＲＡＭ）、ＤＤＲＳＤＲＡＭ（Ｄｏｕｂｌｅ  Ｄａｔａ  Ｒａｔｅ  ＳＤＲＡＭ）、ＥＳＤＲＡＭ（Ｅｎｈａｎｃｅｄ  ＳＤＲＡＭ）、ＳＬＤＲＡＭ（Ｓｙｎｃｈｌｉｎｋ  ＤＲＡＭ）、ＤＲＲＡＭ（Ｄｉｒｅｃｔ  Ｒａｍｂｕｓ  ＲＡＭ）が挙げられるが、それらに限られない。本開示の実施例に記載のシステム及び方法におけるメモリ１５０２は、これらに限られず、これらおよびこれら以外の任意の適合する種類のメモリを含むとする。
【０１６８】
一部実施例において、メモリ１５０２には、実行可能なモジュールまたはデータ構造、またはそれらのサブセット、または、それらの拡張セットであるオペレーティングシステム１５０２１とアプリケーションプログラム１５０２２が記憶されている。
【０１６９】
ここで、オペレーティングシステム１５０２１は、フレーム層、コアライブラリ層、駆動層など各種類のシステムプログラムを含み、各種類のベーシックサービスの実現およびハードウェアに基づくタスクの処理に用いられる。アプリケーションプログラム１５０２２は、メディアプレイヤー（Ｍｅｄｉａ  Ｐｌａｙｅｒ）、ブラウザ（Ｂｒｏｗｓｅｒ）など各種類のアプリケーションプログラムを含み、各種類のアプリケーションサービスの実現に用いられる。本開示の実施例における方法を実現するプログラムは、アプリケーションプログラム１５０２２に含まれる。
【０１７０】
本開示の実施例において、メモリ１５０２に保存されているプログラムまたは指令を呼び出し、具体的に、アプリケーションプログラム１５０２２に保存されているプログラムまたは指令を呼び出すことによって、スロット数セットから１つのスロット数の値を決定するステップと、前記スロット数の値に基づき、マルチスロットのＰＵＣＣＨおよび／またはＰＵＳＣＨ伝送を行うステップとを実現する。
【０１７１】
本開示の実施例は、プログラムが格納されているコンピュータ読み取り可能な記憶媒体をさらに提供する。当該プログラムがプロセッサによって実行されると、以上記載したダウンリンク制御チャネル送信方法のステップが実現され、または、以上記載したダウンリンク制御チャネル検出受信方法のステップが実現される。
【０１７２】
本開示の開示内容と関連付けて記載した方法またはアルゴリズムのステップは、ハードウェアの方式で実現されてもよく、プロセッサでソフトウェア指令を実行する方式で実現されてもよい。ソフトウェア指令は、対応するソフトウェアモジュールで構成される。ソフトウェアモジュールは、ＲＡＭ、フラッシュメモリ、ＲＯＭ、ＥＰＲＯＭ、ＥＥＰＲＯＭ、レジスタ、ハードディスク、移動ハードディスク、リードオンリー光ディスクまたは本分野で周知されているあらゆる形式の記憶媒体に位置する。例示的な記憶媒体は、プロセッサに結合される。よって、プロセッサは、当該記憶媒体から情報を読み取り、かつ当該記憶媒体に情報を書き込むことができる。もちろん、記憶媒体は、プロセッサの構成部分であってもよい。プロセッサと記憶媒体は、ＡＳＩＣに位置してもよい。また、当該ＡＳＩＣは、コアネットワークインタフェース機器に位置ししてもよい。もちろん、プロセッサと記憶媒体は、分離構成としてコアネットワークインタフェース機器に位置してもよい。
【０１７３】
上記の１つまたは複数の例において、本開示に記載の機能がハードウェア、ソフトウェア、ファームウェアまたはそれらの組み合わせによって実現可能であることは、当業者が意識可能である。ソフトウェアで実現される場合、これらの機能をコンピュータ読み取り可能な媒体に記憶するか、コンピュータ読み取り可能な媒体の１つまたは複数の指令またはコードとして伝送される。コンピュータ読み取り可能な媒体は、コンピュータ記憶媒体と通信媒体を含む。通信媒体は、１つの場所から別の場所へコンピュータプログラムを伝送するあらゆる媒体を含む。記憶媒体は、汎用または特殊用途向けのコンピュータによってアクセス可能なあらゆる利用可能な媒体である。
【０１７４】
以上に記載した具体的な実施形態によって、本開示の目的、技術手段および効果をさらなる詳細な説明をした。なお、以上の記載は、本開示の具体的な実施形態に過ぎず、本開示の保護範囲を限定するためのものではない。本開示の技術手段を基に為したあらゆる修正、均等置換および改良などは、すべて本開示の保護範囲に含まれるべきである。
【０１７５】
本開示の実施例は、方法、システム、又はコンピュータプログラムプロダクトとして提供されうると当業者が理解できる。従って、本開示の実施例は、完全にハードウェアの実施例、完全にソフトウェアの実施例、又はソフトウェアとハードウェアを組み合わせた実施例の形態を取り得る。しかも、本開示の実施例は、コンピュータ利用可能なプログラムコードを含む１つ又は複数のコンピュータ利用可能な記憶媒体（磁気ディスクメモリ、ＣＤ−ＲＯＭ、光学メモリなどを含むが、それらに限らない）で実施されるコンピュータプログラムプロダクトの形態を取り得る。
【０１７６】
本開示は、本開示の実施例による方法、デバイス（システム）及びコンピュータプログラムプロダクトのフローチャート及び／又はブロック図を参照にして記載されている。フローチャート及び／又はブロック図における各フロー及び／又はブロック、及びフローチャート及び／又はブロック図におけるフロー及び／又はブロックの組み合わせは、コンピュータプログラムコマンドにより実現されうると理解されるべきである。これらのコンピュータプログラムコマンドを汎用コンピュータ、専用コンピュータ、嵌め込み式プロセッサ又は他のプログラマブルデータ処理デバイスのプロセッサに提供して１つの機器を形成し、コンピュータ又は他のプログラマブルデータ処理デバイスのプロセッサにより実行される指令により、フローチャートの１つ又は複数のフロー及び／又はブロック図の１つ又は複数のブロックで指定される機能を実現するための装置を形成する。
【０１７７】
これらのコンピュータプログラムコマンドは、コンピュータ又は他のプログラマブルデータ処理デバイスに特定の方式で動作させるを導けるコンピュータ読み出し可能なメモリに格納されてもよく、当該コンピュータ読み出し可能なメモリに格納されるコマンドにより、コマンド装置を含むプロダクトを形成する。当該コマンド装置は、フローチャートの１つ又は複数のフロー及び／又はブロック図の１つ又は複数のブロックで指定される機能を実現する。
【０１７８】
これらのコンピュータプログラムコマンドは、コンピュータ又は他のプログラマブルデータ処理デバイスにロードされてもよく、コンピュータ又は他のプログラマブルデータ処理デバイスで一連の操作工程を実行することにより、コンピュータで実現される処理を形成し、コンピュータ又は他のプログラマブルデータ処理デバイスで実行されるコマンドにより、フローチャートの１つ又は複数のフロー及び／又はブロック図の１つ又は複数のブロックで指定される機能を実現するためのステップを提供する。
【０１７９】
明らかに、当業者は、本開示の精神や範囲を逸脱せずに、本開示の実施例に対して様々な変更や変形をすることができる。このように、本開示の実施例のこれらの修正や変形が本開示の請求項及びその同等の技術範囲に含まれるものであれば、本開示は、これらの変更や変形を含むことを意図する。
【手続補正２】
【補正対象書類名】特許請求の範囲
【補正対象項目名】全文
【補正方法】変更
【補正の内容】
【特許請求の範囲】
【請求項１】
ネットワーク側機器に応用されるマルチスロット伝送方法において、
スロット数セットから１つのスロット数の値を決定することと、
前記スロット数の値をユーザ端末に設定することとを含み、
前記スロット数の値は、前記ユーザ端末によるマルチスロットのＰＵＣＣＨおよび／またはＰＵＳＣＨ伝送に用いられる、マルチスロット伝送方法。
【請求項２】
前記スロット数セットは、予め定義された第１スロット数セットであり、
前記スロット数セットから１つのスロット数の値を決定することは、
前記第１スロット数セットから１つのスロット数の値を選択することを含み、または、
前記スロット数セットは、予め定義された第２スロット数セットであり、
前記スロット数セットから１つのスロット数の値を決定することは、
前記ユーザ端末に設定した複数のスロット数の値を前記第２スロット数セットから決定することと、
前記複数のスロット数の値から１つのスロット数の値を選択することとを含み、または、
前記スロット数セットは、各ヌメロロジーに対し予め定義した第３スロット数セットであり、
前記スロット数セットから１つのスロット数の値を決定することは、
ヌメロロジーに基づき、対応する第３スロット数セットを決定することと、
前記対応する第３スロット数セットから１つのスロット数の値を選択することとを含み、または、
前記スロット数セットは、各ヌメロロジーに対し予め定義した第４スロット数セットであり、
前記スロット数セットから１つのスロット数の値を決定することは、
ヌメロロジーに基づき、対応する第４スロット数セットを決定することと、
前記ユーザ端末に設定した複数のスロット数の値を前記第４スロット数セットから決定することと、
前記複数のスロット数の値から１つのスロット数の値を選択することとを含む、請求項１に記載の方法。
【請求項３】
ハイレイヤシグナリングによって前記ユーザ端末に前記複数のスロット数の値を設定することをさらに含む、請求項２に記載の方法。
【請求項４】
前記スロット数の値をユーザ端末に設定することは、
ハイレイヤシグナリングまたはダウンリンク制御情報ＤＣＩによってユーザ端末に前記スロット数の値を設定することを含む、請求項１〜３のいずれか一項に記載の方法。
【請求項５】
ユーザ端末に応用されるマルチスロット伝送方法において、
スロット数セットから１つのスロット数の値を決定することと、
前記スロット数の値に基づき、マルチスロットのＰＵＣＣＨおよび／またはＰＵＳＣＨ伝送を行うこととを含む、マルチスロット伝送方法。
【請求項６】
前記スロット数セットは、予め定義された第１スロット数セットであり、
前記スロット数セットから１つのスロット数の値を決定することは、
ネットワーク側機器から送信された設定情報に基づき、前記第１スロット数セットから１つのスロット数の値を選択することを含み、または、
前記スロット数セットは、予め定義された第２スロット数セットであり、
前記スロット数セットから１つのスロット数の値を決定することは、
前記ネットワーク側機器から前記ユーザ端末に設定した複数のスロット数の値であって、前記第２スロット数セットのうちの値である前記複数のスロット数の値を受信することと、
ネットワーク側機器から送信された設定情報に基づき、前記複数のスロット数の値から１つのスロット数の値を選択することとを含み、または、
前記スロット数セットは、各ヌメロロジーに対し予め定義した第３スロット数セットであり、
前記スロット数セットから１つのスロット数の値を決定することは、
ヌメロロジーに基づき、対応する第３スロット数セットを決定することと、
ネットワーク側機器から送信された設定情報に基づき、前記対応する第３スロット数セットから１つのスロット数の値を選択することとを含み、または、
前記スロット数セットは、各ヌメロロジーに対し予め定義した第４スロット数セットであり、
前記スロット数セットから１つのスロット数の値を決定することは、
ヌメロロジーに基づき、対応する第４スロット数セットを決定することと、
前記ネットワーク側機器から前記ユーザ端末に設定した複数のスロット数の値であって、ヌメロロジーに基づいて決定した対応する第４スロット数セットのうちの値である前記複数のスロット数の値を受信することと、
ネットワーク側機器から送信された設定情報に基づき、前記複数のスロット数の値から１つのスロット数の値を選択することとを含む、請求項５に記載の方法。
【請求項７】
前記ネットワーク側機器から前記ユーザ端末に設定した複数のスロット数の値をハイレイヤシグナリングによって受信することをさらに含む、請求項６に記載の方法。
【請求項８】
ネットワーク側機器から送信されて前記１つのスロット数の値を決定するための設定情報を、ハイレイヤシグナリングまたはダウンリンク制御情報ＤＣＩによって受信することをさらに含む、請求項６または７に記載の方法。
【請求項９】
スロット数セットから１つのスロット数の値を決定するための第１プロセッサと、
前記スロット数の値をユーザ端末に設定するための第１トランシーバとを含み、
前記スロット数の値は、前記ユーザ端末によるマルチスロットのＰＵＣＣＨおよび／またはＰＵＳＣＨ伝送に用いられる、ネットワーク側機器。
【請求項１０】
前記スロット数セットは、予め定義された第１スロット数セットであり、
前記第１プロセッサは、さらに、
前記第１スロット数セットから１つのスロット数の値を選択することに用いられ、または、
前記スロット数セットは、予め定義された第２スロット数セットであり、
前記第１プロセッサは、さらに、
前記ユーザ端末に設定した複数のスロット数の値を前記第２スロット数セットから決定することと、前記複数のスロット数の値から１つのスロット数の値を選択することとに用いられ、または、
前記スロット数セットは、各ヌメロロジーに対し予め定義した第３スロット数セットであり、
前記第１プロセッサは、さらに、
ヌメロロジーに基づき、対応する第３スロット数セットを決定することと、前記対応する第３スロット数セットから１つのスロット数の値を選択することとに用いられ、または、
前記スロット数セットは、各ヌメロロジーに対し予め定義した第４スロット数セットであり、
前記第１プロセッサは、さらに、
ヌメロロジーに基づき、対応する第４スロット数セットを決定することと、前記ユーザ端末に設定した複数のスロット数の値を前記第４スロット数セットから決定することと、前記複数のスロット数の値から１つのスロット数の値を選択することとに用いられる、請求項９に記載のネットワーク側機器。
【請求項１１】
前記第１プロセッサは、さらに、
ハイレイヤシグナリングによって前記ユーザ端末に前記複数のスロット数の値を設定することに用いられる、請求項１０に記載のネットワーク側機器。
【請求項１２】
前記第１トランシーバは、さらに、
ハイレイヤシグナリングまたはダウンリンク制御情報ＤＣＩによってユーザ端末に前記スロット数の値を設定することに用いられる、請求項９〜１１のいずれか一項に記載のネットワーク側機器。
【請求項１３】
スロット数セットから１つのスロット数の値を決定するための第２プロセッサと、
前記スロット数の値に基づき、マルチスロットのＰＵＣＣＨおよび／またはＰＵＳＣＨ伝送を行うための第２トランシーバとを含む、ユーザ端末。
【請求項１４】
前記スロット数セットは、予め定義された第１スロット数セットであり、
前記第２プロセッサは、さらに、
ネットワーク側機器から送信された設定情報に基づき、前記第１スロット数セットから１つのスロット数の値を選択することに用いられ、または、
前記スロット数セットは、予め定義された第２スロット数セットであり、
前記第２トランシーバは、さらに、
前記ネットワーク側機器から前記ユーザ端末に設定した複数のスロット数の値であって、前記第２スロット数セットのうちの値である前記複数のスロット数の値を受信することに用いられ、
前記第２プロセッサは、さらに、
ネットワーク側機器から送信された設定情報に基づき、前記複数のスロット数の値から１つのスロット数の値を選択することに用いられ、または、
前記スロット数セットは、各ヌメロロジーに対し予め定義した第３スロット数セットであり、
前記第２プロセッサは、さらに、
ヌメロロジーに基づき、対応する第３スロット数セットを決定することと、ネットワーク側機器から送信された設定情報に基づき、前記対応する第３スロット数セットから１つのスロット数の値を選択することとに用いられ、または、
前記スロット数セットは、各ヌメロロジーに対し予め定義した第４スロット数セットであり、
前記第２プロセッサは、さらに、
ヌメロロジーに基づき、対応する第４スロット数セットを決定することに用いられ、
前記第２トランシーバは、さらに、
前記ネットワーク側機器から前記ユーザ端末に設定した複数のスロット数の値であって、ヌメロロジーに基づいて決定した対応する第４スロット数セットのうちの値である前記複数のスロット数の値を受信することに用いられ、
前記第２プロセッサは、さらに、
ネットワーク側機器から送信された設定情報に基づき、前記複数のスロット数の値から１つのスロット数の値を選択することに用いられる、請求項１３に記載のユーザ端末。
【請求項１５】
前記第２プロセッサは、さらに、
前記ネットワーク側機器から前記ユーザ端末に設定した複数のスロット数の値をハイレイヤシグナリングによって受信することに用いられる、請求項１４に記載のユーザ端末。
【請求項１６】
前記第２プロセッサは、さらに、
ネットワーク側機器から送信されて前記１つのスロット数の値を決定するための設定情報を、ハイレイヤシグナリングまたはダウンリンク制御情報ＤＣＩによって受信することに用いられる、請求項１４または１５に記載のユーザ端末。
【国際調査報告】
2021503780.tif 000022
2021503780.tif 000023
2021503780.tif 000024
2021503780.tif 000025